(57)【特許請求の範囲】
【請求項１】
電子計算機を含む複数のネットワーク機器が接続されているネットワークを管理運用するネットワーク管理システムであって、
前記ネットワーク機器の物理的接続関係情報及び分類情報を格納した第１データベースと、
前記ネットワーク機器の起動時に実行される起動情報を記述した起動ファイルのファイル名を格納した第２のデータベースと、
前記ネットワーク機器の前記分類情報毎に、対応するネットワーク機器がネットワーク環境で使用するサービス名と、前記サービス名に応じて、ネットワーク機器がネットワークサービスを提供するサーバ側として稼動するのかネットワークサービスを要求するクライアント側として稼動するかを識別する識別情報と、前記サービス名および前記識別情報に対応したサービス頻度およびアクセス頻度に関する設定情報が記述されたサーバ側用およびクライアント側用コンフィグレーション用ファイルのファイル名が格納された第３のデータベースと、
（ａ）指定されたネットワーク機器に関する前記物理的接続関係情報及び分類情報を前記第１のデータベースから検索し、
（ｂ）前記指定されたネットワーク機器に関する起動ファイル名を前記第２のデータベースから検索し、
（ｃ）検索された前記分類情報を用いて、前記指定されたネットワーク機器がネットワーク環境で使用するサービス名及びこれに対応するサーバ側用又はクライアント側用のコンフィグレーション用ファイル名を前記第３のデータベースから検索し、
（ｄ）前記（ｃ）で検索したコンフィグレーション用ファイル名が前記識別情報によりクライアント側用と判断される場合には、
（ｄ１）前記（ｃ）で検索された起動ファイル名、サービス名及びコンフィグレーション用ファイル名に基づき、起動ファイル及びコンフィグレーション用ファイルから、
前記指定されたネットワーク機器が起動時に実行するクライアントとして設定しているサービス名と、前記指定されたネットワーク機器がクライアントとして設定しているサービスにおいてサーバとなる他のネットワーク機器と、前記指定されたネットワーク機器がクライアントとして設定しているサービス名に応じたアクセス頻度とを検索するとともに、
（ｄ２）前記他のネットワーク機器に関する物理的接続関係情報を前記第１のデータベースから検索し、
（ｅ）前記（ｃ）で検索したコンフィグレーション用ファイル名が前記識別情報によりサーバ側用と判断される場合には、
（ｅ１）前記（ｃ）で検索された起動ファイル名、サービス名及びコンフィグレーション用ファイル名に基づき、起動ファイル及びコンフィグレーション用ファイルから、
前記指定されたネットワーク機器が起動時に実行するサーバとして設定しているサービス名と、前記サーバとして設定しているサービス名に応じたサービス頻度とを検索し、
（ｅ２）前記検索されたサーバとして設定しているサービス名を用いて、クライアント側サービス名及びクライアント側用コンフィグレーション用ファイル名を前記第３のデータベースから検索し、
（ｅ３）前記指定されたネットワーク機器以外の全ネットワーク機器に関する起動ファイル名を前記第２のデータベースから検索し、
（ｅ４）前記検索された前記指定されたネットワーク機器以外の全ネットワーク機器に関する起動ファイル名、クライアント側サービス名及びクライアント側用コンフィグレーション用ファイル名に基づき、起動ファイル及びコンフィグレーション用ファイルから、  各ネットワーク機器が起動時に実行する前記指定されたネットワーク機器をサーバとして設定しているサービス名を検索することにより、前記指定されたネットワーク機器をサーバとして設定しているサービスにおいてクライアントとなる他のネットワーク機器とを検索するとともに、
（ｅ５）前記他のネットワーク機器に関する物理的接続関係情報を前記第１のデータベースから検索し、
（ｆ）前記指定されたネットワーク機器と他のネットワーク機器間の物理的接続ルートを構成するネットワーク機器、並びに前記指定されたネットワーク機器及び他のネットワーク機器についての、設定しているサービス名、サーバ側かクライアント側か、サービス頻度又はアクセス頻度から成る情報を表示装置画面に表示されたネットワーク構成図上に表示させる処理手段とを備えることを特徴とするネットワーク管理システム。
【請求項２】
ネットワークの物理的接続ルートを流れているパケットのヘッダ部を所定時間収集して得られるネットワーク機器間のトラフィックデータを格納した第４のデータベースをさらに備え、前記処理手段は、接続関係にあるネットワーク機器間のトラフィックデータを前記第４のデータベースから検索し、表示装置画面に表示させることを特徴とする請求項１に記載のネットワーク管理システム。
【発明の詳細な説明】
【０００１】
【発明の属する技術分野】
本発明は、複数の電子計算機及びネットワーク機器が接続されているコンピュータネットワークに関し、特に、ネットワークを円滑に運用管理するためのネットワーク管理システムに関するものである。
【０００２】
【従来の技術】
従来のネットワーク管理システムでは、ネットワークを円滑に運用管理するために、ＳＮＭＰ(Simple Network Management Protocol)を用いたネットワーク上のネットワーク機器の情報(ＭＩＢ:Management Information Base)収集や、収集したＭＩＢ情報のグラフ表示、ログファイル保存、統計処理及びレポート作成などの手段がこれまで実現されている。
【０００３】
また、ネットワーク効率の向上を目的に、ネットワークトラフィックのモニタリング用装置が各社から出されている。
【０００４】
さらに、ネットワークの運用管理を目的としたシステムには、
（１）特開昭６３−９９６５４号公報の「ローカルネットワークアナライザ」
（２）特開平０２−９８２４９号公報の「ネットワークトポグラフィーの制御方法及び装置」
（３）特開平０４−１５４３３２号公報の「ＬＡＮ構成支援システム」
（４）特開平０５−６８０３８号公報の「ＬＡＮ統計データ収集システム及び方法」
（５）特開平０５−２２３１３号公報の「ローカルネットワークの端末監視方式」などがある。
【０００５】
前記（１）のローカルネットワークアナライザは、ローカルエリアネットワークの負荷率、パケット間隔やパケット長とパケット数との関係を解析し、使用効率を容易に把握可能にするものである。
【０００６】
前記（２）のネットワークトポグラフィーの制御方法及び装置は、隣接するワークステーション間で接続情報を交換し、接続有効リストを用いてネットワークトポロジーに関する接続の有効性／無効性を識別するものである。
【０００７】
前記（３）のＬＡＮ構成支援システムは、ＬＡＮ構成図をグラフィックディスプレイ上に描かせ、接続予定機器を仮想的に追加し、仮想動作データに基づいたＬＡＮの動作状況を表示するものである。
【０００８】
前記（４）のＬＡＮ統計データ収集システム及び方法は、ＬＡＮ上を走行するパケットを入力し、ＬＡＮの負荷率、パケット数とパケット間隔及びパケット長の関係を解析し、ＬＡＮの回線使用率や負荷状態をリアルタイム表示するものである。
【０００９】
前記（５）のローカルネットワークの端末監視方式は、一定時間毎に端末の状態確認を行い、端末の状態（停止／起動／稼働）の判別を行うものである。
【００１０】
【発明が解決しようとする課題】
しかしながら、前記従来の技術では、以下に挙げるような問題がある。
【００１１】
ＳＮＭＰを用いたＭＩＢ情報の収集や解析行うシステムでは、個々のネットワーク機器独自の情報は得ることができるが、他のネットワーク機器との関係に関する情報はＭＩＢ情報には格納されていないため、ネットワーク機器間の静的な依存関係や依存の方向性、さらに、依存の度合や頻度設定などを把握できない。
【００１２】
前記従来の技術で述べた、ネットワークトラフィックのモニタリング用装置や（１）のローカルネットワークアナライザ及び（４）のＬＡＮ統計データ収集システムでは、ネットワーク上を流れるパケットと呼ばれる情報単位毎に、発信元、送信先、プロトコルなどを取り出すことができるが、ある一定時間内のモニタリングを統計情報として表示しても、ネットワーク機器間のある時点での動的な依存状況や依存の方向性、さらに、依存の度合や頻度などを把握できないという問題点があった。
【００１３】
さらに、前記従来技術で述べた従来のネットワーク管理システムやネットワークトラフィックのモニタリング用装置で行う統計情報の分析は、管理対象であるネットワーク内に限られているため、ある時点で管理対象であるネットワーク内の被管理機器がサーバとして、管理対象外の他のグローバルなネットワークに接続しているマシンからの通信サービスに対する要求に応答しているかどうかを把握することができないという問題点があった。
【００１４】
前記従来の技術で述べた（２）のネットワークトポグラフィーの制御方法及び装置は、他の機器との接続情報からネットワークトポロジーの接続有効性を識別できる。しかし、接続有効性の識別だけでは、管理対象であるネットワークのクリティカルポイントの把握や、トラフィックの傾向予測が行えないという問題点があった。
【００１５】
前記従来の技術で述べた（３）のＬＡＮ構成支援システムは、接続予定機器導入後のＬＡＮの動作状況予測が行える。しかし、実際に運用中のＬＡＮでの動作状況を把握したり、負荷分散の必要性を判断するための情報を得ることができないという問題点があった。
【００１６】
前記従来の技術で述べた（５）のローカルネットワークの端末監視方式は、一定時間毎の端末の状態判別が行える。しかし、管理対象であるネットワーク全体の稼働状況や負荷の集中傾向を把握したり、ネットワークの負荷分散やトラフィックの均一化を図る対策を講じるための指標を示すことができないという問題点があった。
【００１７】
さらに、前記従来技術では、赤外線や電波を用いたワイヤレス通信を行う機器間の静的な依存関係や依存の方向性、依存の度合いや頻度設定などの表示手段が提供されておらず、視覚的な把握が行えないという問題点があった。
【００１８】
また、ワイヤレス通信を行うネットワーク機器間のある時点での動的な依存状況屋方向性、依存の度合いについても、同様に表示手段が提供されておらず、視覚的な把握を行えないという問題点があった。
【００１９】
本発明の第１の目的は、複数の電子計算機及びネットワーク機器が接続されているコンピュータネットワークにおいて、特に、ネットワーク機器間の静的な依存関係や依存の方向性、さらに、依存の度合や頻度設定を視覚的に把握することができるネットワーク管理システムを提供することである。
【００２０】
本発明の第２の目的は、管理対象であるネットワークのクリティカルポイントの把握や、トラフィックの傾向予測を行うことができるネットワーク管理システムを提供することである。
【００２１】
本発明の第３の目的は、ネットワーク機器間のある時点での動的な依存関係や依存の方向性、さらに、依存の度合や頻度を視覚的に把握することができるネットワーク管理システムを提供することである。
【００２２】
本発明の第４の目的は、管理対象であるネットワーク全体の稼働状況や負荷の集中傾向を把握でき、ネットワークの負荷分散やトラフィックの均一化を図る対策を講じるための指標を示すことができるネットワーク管理システムを提供することである。
【００２３】
本発明の第５の目的は、ケーブル配線によるネットワーク接続を行わず、赤外線や電波を用いたワイヤレス通信方式により接続されたネットワークも管理可能な、前記第１から第４までの目的で述べた機能を有するネットワーク管理システムを提供することである。
【００２４】
本発明の第６の目的は、管理対象外のネットワークと管理対象であるネットワーク内の被管理機器での、ある時点での動的な依存状況を把握することができるネットワーク管理システムを提供することである。
【００２５】
本発明の前記ならびにその他の目的と新規な特徴は、本明細書の記述及び添付図面によって明らかになるであろう。
【００２６】
【課題を解決するための手段】
本願において開示される発明のうち、代表的なものの概要を簡単に説明すれば、下記のとおりである。
【００２７】
１．電子計算機を含む複数のネットワーク機器が接続されているネットワークを管理運用するネットワーク管理システムであって、前記ネットワーク機器の物理的配置に関する情報を格納した第１データベースと、前記ネットワーク機器の論理的かつ静的な接続関係に関する情報を格納した第２データベースと、ネットワークに関する各種情報及びネットワーク構成図を表示する表示装置と、前記第１及び前記第２データベースに格納された情報に基づき、前記ネットワーク機器の物理的配置と前記ネットワーク機器の論理的かつ静的な接続関係とを前記ネットワーク構成図と共に、前記表示装置に表示させる処理手段とを備える。
【００２８】
また、前記第１の処理に、前記表示装置に表示された前記ネットワーク構成図上の全てのネットワーク機器論理的かつ静的な接続関係に関する情報を統合し、そのネットワーク上でのネットワーク機器間相互の依存関係と、各ネットワーク機器のネットワークに対する重要度を前記表示装置に表示させる手段を備える。
【００２９】
２．前記ネットワーク機器の物理的配置に関する情報を格納した第１データベースと、前記ネットワーク機器の論理的かつ動的な接続状況に関する情報を格納した第３データベースと、ネットワークに関する各種情報及びネットワーク構成図を表示する表示装置と、前記第１及び前記第３データベースに格納された情報に基づき、前記ネットワーク機器の物理的配置と前記ネットワーク機器の論理的かつ動的な接続状況とを前記ネットワーク構成図と共に、前記表示装置に表示させる処理手段とを備える。
【００３０】
また、前記第２の処理に、前記表示装置に表示された前記ネットワーク構成図上の全てのネットワーク機器論理的かつ動的な接続状況に関する情報を統合し、そのネットワーク上でのネットワーク機器間相互の依存状況と、各ネットワーク機器のネットワークに対する重要度を前記表示装置に表示させる手段を備える。
【００３１】
前述の手段によれば、ネットワークを円滑に運用管理するために、ネットワーク上のネットワーク機器の論理的かつ静的な接続関係に関する情報を、ネットワーク構成図上に表示するので、ネットワーク機器間の静的な依存関係や依存の方向性、さらに、依存の度合や頻度設定を視覚的に把握することができる。
【００３２】
また、前述の手段によれば、ネットワーク上のネットワーク機器の論理的かつ静的な接続関係に関する情報を統合し、各ネットワーク機器のネットワークに対する重要度を、ネットワーク構成図上に表示するので、管理対象であるネットワークのクリティカルポイントの把握や、トラフィックの傾向予測を行うことができる。
【００３３】
また、前述の手段によれば、ネットワーク上のネットワーク機器の論理的かつ動的な接続状況に関する情報を、ネットワーク構成図上に表示するので、ネットワーク機器間のある時点での動的な依存関係や依存の方向性、さらに、依存の度合や頻度を視覚的に把握することができる。
【００３４】
さらに、前述の手段によれば、ネットワーク上のネットワーク機器の論理的かつ動的な接続状況に関する情報を統合し、各ネットワーク機器のネットワークに対するその時点での重要度や、ネットワーク機器間相互の依存状況を、ネットワーク構成図上に表示するので、管理対象であるネットワーク全体の稼働状況や負荷の集中傾向を把握でき、さらに、ネットワークの負荷分散やトラフィックの均一化を図る対策を講じるための指標を示すことができる。
【００３５】
【発明の実施の形態】
以下、本発明の実施例を図面を参照して具体的に説明する。
【００３６】
図１は本発明の一実施例にかかるネットワーク管理システムのハードウエア構成を示す図である。
【００３７】
本実施形態のネットワーク管理システムは、図１に示すように、ネットワーク管理システムが管理するネットワーク機器がケーブル類で接続されたネットワーク１００と、ネットワーク管理システムとネットワーク１００間の通信を制御する通信制御装置１０１と、データ処理、システム制御及び予めプログラムされた各種処理を行う中央処理装置１０２と、キーボード、マウス、プリンタなどの入力装置１０３と、ディスプレイ、プリンタなどの出力装置１０４と、光磁気ディスク、メタルテープ、ハードディスクなどの補助記憶装置１０５とからなる。
【００３８】
このネットワーク１００では、接続されているネットワーク機器間で通信が行われている。
【００３９】
また、ここでのネットワーク管理システムが管理対象とするネットワーク機器を被管理機器と呼ぶ。被管理機器には以下のものがある。
【００４０】
（１）ワークステーションやパーソナルコンピュータやホストコンピュータやファイルサーバなどの電子計算機。
【００４１】
（２）Ｘ端末やキャタクタ端末やグラフィック端末などの端末類。
【００４２】
（３）ルータやリピータやターミナルサーバやトランシーバやブリッジやハブやプロトコルコンバータやモデムなどのネットワーク接続用機器類。
【００４３】
（４）プリンタやワードプロセッサやファクシミリやスキャナなどの周辺機器類。
【００４４】
（５）イーサネットケーブルや電話線や電源ケーブルなどのケーブル類。
【００４５】
（６）空調設備やフロアレイアウトや建屋地図などの設備機器類。
【００４６】
さらに、本実施形態のネットワーク管理システムは、被管理機器に関するソフトウェア環境やマシン環境、システム構成、ネットワーク構成などを管理属性として扱う。
【００４７】
以下に、本実施形態で扱う用語、ネットワーク構成について説明する。
【００４８】
ネットワーク構成とは、電子計算機、端末、ネットワーク機器、周辺機器、ケーブル類がどのように接続しているかを示すものである。
【００４９】
実際の接続の位置関係や距離などを含む接続状況を示すものを物理的ネットワーク構成、サブネットやセグメントといった論理的な単位での接続状況を示すものを論理的ネットワーク構成と呼ぶ。
【００５０】
この論理的なネットワーク構成の具体例を図２に示す。
【００５１】
図２において、２００は通信網、２０１は電子計算機、２０２はネットワーク機器、２０３は端末をそれぞれ示す。
【００５２】
次に、本実施形態で用いるネットワーク構成図面について説明する。
【００５３】
ネットワーク構成図面とは、上述した物理的ネットワーク構成と前記論理的ネットワーク構成を統括した図面であり、ある縮尺の地図、建屋図面、フロア図面上に、ネットワーク管理システムが管理する被管理機器を配置させ、同時にケーブル類の敷設状況や電源配置や電話配置なども含め、ネットワークの物理的な接続状況を実際の距離及び面積と合わせて表現したものである。
【００５４】
このネットワーク構成図面は、図示したい位置、範囲、被管理機器、目的などに応じ、図１に示した補助記憶装置１０５内にあるデータベースに格納された物理的ネットワーク構成、論理的ネットワーク構成、ネットワーク配線、フロア図面、地図、ネットワークトラフィックの統計情報、ネットワーク回線使用率等の中から、必要な情報を検索した上で、求められる情報を統合し、図１に示した１０４出力装置に表示される図面である。
【００５５】
本実施形態で用いるネットワーク構成図面の具体例を図３に示す。
【００５６】
図３において、３００は通信網、３０１はネットワーク機器、３０２は電子計算機、３０３は端末をそれぞれ示す。
【００５７】
また、本実施形態のネットワーク管理システムは、上述の管理属性に関する情報を格納したデータベースと共に、以下に述べるデータベースをさらに有している。
【００５８】
図４は、被管理機器の各情報を格納した被管理機器データベース４０の構成を示したものである。
【００５９】
この被管理機器データベース４０は、被管理機器ＩＤ４００と、接続情報４０１と、分類４０２と、遠隔操作４０３と、マシン名４０４の情報を格納している。
【００６０】
被管理機器ＩＤ４００は、被管理機器を一意に決めることのできる番号であり、この被管理機器ＩＤ４００はネットワーク管理システムが表示するネットワーク構成図面の被管理機器図形データに割り当てられている。従って、被管理機器ID４００を用いて、ネットワーク構成上の被管理機器図形データを検索し、ネットワーク構成図面上の位置を知ることができる。
【００６１】
接続情報４０１は、物理的に直接接続している被管理機器の被管理機器ＩＤである。
【００６２】
分類４０２は、電子計算機、端末、ネットワーク機器、周辺機器、ケーブル類を識別するものである。
【００６３】
遠隔操作４０３は、遠隔操作の可能な被管理機器であるか判別する項目である。
【００６４】
マシン名４０４は、被管理機器のネットワーク上の名前である。
【００６５】
ここでの遠隔操作とは、ネットワークに接続されている他の電子計算機から送られてきた命令を実行し、その結果を送り返す機能を意味する。
【００６６】
本実施形態のネットワーク管理システムは、この遠隔操作機能を利用し、ネットワークに接続されている遠隔操作可能な電子計算機及び端末から情報を収集することができる。
【００６７】
図４に示す遠隔操作４０３には、被管理機器別に利用可能な遠隔操作の種類が格納され、遠隔操作が利用できない被管理機器の場合は、不可となる。
【００６８】
図５は、ネットワーク上の被管理機器間で行われている通信の情報単位であるパケット（通信データを一定の長さに区切ったもの）の構成を示したものである。
【００６９】
パケットは、送受信するために必要な制御情報を格納しているヘッダ部５０と、実際に送受信したい情報を格納したデータ部５１との２つの部分に分かれる。
【００７０】
ヘッダ部５０には、各種の制御情報が格納されているが、実施例におけるヘッダ情報は、図５に示したように、受信先の被管理機器ＩＤ５００、送信元の被管理機器ＩＤ５０１、データサイズ（バイト数）５０２、通信プロトコル５０３などから構成される。
【００７１】
図６は、被管理機器がネットワーク環境で使用するサービス名の一覧が登録されているサービス名データベース６０の構造を示したもので、このサービス名データベース６０に格納している情報は、ネットワーク管理者であるネットワーク管理システムの使用者により予め登録されている。
【００７２】
図６に示すサービス名データベース６０は、図４の４０２と同様に、電子計算機、端末、ネットワーク機器、周辺機器、ケーブル類を識別する分類６００と、分類６００に対応する被管理機器が、ネットワーク環境で使用するネットワークサービスの名前であるサービス名６０１と、サービス名６０１を分類６００に対応する被管理機器で使用する際に用いるソフトウェア上の規約（通信プロトコル）、又は、被管理機器上でサービスを使用するために常時起動されているプロセス（＝デーモン）であるprtcl,daemon ６０２と、そのprtcl,daemon ６０２が、サービスを供給する側（Ｓ：サーバ）として稼働するのか、サービスを要求する側（Ｃ：クライアント）として稼働するのか、を識別するための情報である区分６０３と、prtcl,daemon ６０２を被管理機器用にコンフィグレーションするためのファイル名であるconfig ６０４の情報を格納している。
【００７３】
なお、prtcl,daemon ６０２に格納される通信プロトコルは、図５のヘッダ部５０に格納される通信プロトコル５０３と同一の情報である。
【００７４】
また、区分６０３においてサーバとクライアントのいずれにも区分できないものに関しては、データベース６０上で「−：該当せず」と表現する。
【００７５】
上述したconfig ６０４に格納されるコンフィグレーション用ファイルには、サーバ側であれば、サービス頻度やアクセス権などに関する設定情報が記述され、クライアント側であれば、そのサービスのサーバとなる機器の被管理機器ＩＤやアクセス頻度などの設定情報が記述される。
【００７６】
そして、図６に示す６１０から６１３は、サービスの具体例を示してある。
【００７７】
ネットワーク情報サービス（ＮＩＳ）６１０は、ネットワークに接続されているマシン名やユーザのアカウント名などの情報をネットワーク内で共有化し、一元管理を行うものである。なお、情報提供する側をサーバと呼び、情報要求する側をクライアントと呼ぶ。
【００７８】
例えば、クライアントが一元管理されているネットワークに関する情報を必要とした時、サーバに対して通信プロトコルに従って要求を出し、情報を受け取る。
【００７９】
ルーティング６１１は、ネットワーク上を流れるパケットの経路制御を行うものである。他のネットワークとの境界となる、即ち、２つ以上のネットワークに接続している電子計算機やネットワーク接続用機器で起動され、図５で示したヘッダ部５０を構成している受信先の被管理機器ＩＤ５００に応じて、どのネットワークにパケットを送出するかを決める。
【００８０】
ネットワークファイルシステム（ＮＦＳ）６１２は、ネットワークに接続している電子計算機が各々保有しているハードディスクを、ネットワーク内の電子計算機間で共有するものである。
【００８１】
ハードディスクはファイルシステム単位に共有の有無を設定可能であり、ネットワーク情報サービス６１０と同様にファイルシステムを提供する側をサーバ、ファイルシステムを要求する側をクライアントと呼ぶ。
【００８２】
クライアントがサーバである他の電子計算機が保有しているファイルシステムに対するアクセスを行いたい場合、通信プロトコルに従って要求を出す。
【００８３】
ここで、サーバ側でクライアント側に対する共有許可を設定していれば、サーバである他電子計算機のファイルシステムに対するアクセスが可能になる。
【００８４】
ネットワーク管理（ＳＮＭＰ）６１３は、ネットワークに接続している電子計算機及びネットワーク接続用機器が内部で保有している機器独自のネットワーク管理用の情報に対するアクセスを行うものである。
【００８５】
情報をアクセスする側、即ち、ネットワーク管理を行う機器をマネージャと呼び、情報を保有している機器をエージェントと呼ぶ。
【００８６】
マネージャは管理目的に合わせ、また、必要に応じて、エージェントが保有している情報を、通信プロトコルに従って取り出すことができる。
【００８７】
図７は、被管理機器が保有している機器起動時に実行される起動ファイル名の一覧が登録されているデータベース７０の構成を示したものである。
【００８８】
データベース７０は、図７に示すように、図４の被管理機器ＩＤ４００と同様、被管理機器を一意に決めることのできる番号である被管理機器ＩＤ７００と、被管理機器ＩＤ７００の機器を起動する際に実行されるファイル名である起動ファイル名７０１の情報を格納している。
【００８９】
このデータベース７０に格納している情報は、ネットワーク管理者であるネットワーク管理システムの使用者により、予め登録することもできるし、また、ネットワーク管理システムで被管理機器ＩＤを用いて起動ファイル名を被管理機器に対して問合せ、情報収集を行い生成することもできる。
【００９０】
図８は、図７で示したある被管理機器ＩＤ７００の機器が保有している、ある起動ファイル名７０１の起動ファイルの例として、起動ファイル８０の記述内容を示したものである。
【００９１】
この起動ファイル８０に記述されている機器の起動情報は、機器自体に予め登録されている。また、ネットワーク管理者であるネットワーク管理システムの使用者により登録又は変更されている場合もある。
【００９２】
図８において、８００は図６のネットワーク情報サービス（ＮＩＳ）６１０の設定例であり、８０１は図６のルーティング６１１の設定例であり、８０２は図６のネットワークファイルシステム（ＮＦＳ）６１２の設定例であり、８０３は図６のネットワーク管理（ＳＮＭＰ）６１３の設定例である。
【００９３】
図８に示したように、各被管理機器の起動ファイルには、各種のネットワークサービス用の起動情報が設定されて、また、ネットワークサービスに関する被管理機器用のコンフィグレーション内容は、図６のconfig ６０４の格納しているファイルに格納されいる。
【００９４】
よって、図７に示したデータベース７０に格納している各被管理機器の起動時に実行されるファイル名と、それぞれの起動ファイル内で記述されている各種のネットワークサービスの起動情報と、各ネットワークサービスに関するコンフィグレーション用ファイルに記述される設定情報からある被管理機器の起動時に他の被管理機器と、どのように関係するかが認識できる。
【００９５】
こうした被管理機器間の関係を、本実施形態では静的接続関係と呼ぶ。
【００９６】
しかし、これらの起動ファイルに設定されている起動情報、即ち、静的接続関係は、各被管理機器の起動後に、コマンド入力により動的に変更される場合もある。
【００９７】
つまり、起動時の静的接続関係が恒久的に継続するとは限らず、ネットワーク上に接続している被管理機器間の関係は、時間と共に変化している可能性がある。
【００９８】
したがって、運用中のネットワークの状態を管理するためには、ある時点での被管理機器間の関係を調査する必要があり、本実施形態では、こうしたある時点での被管理機器間の関係を動的接続状況と呼び、静的接続関係と区別して扱う。
【００９９】
この動的接続状況の調査は、後述する図９に示すプロセステーブル９０及び、図１０に示すトラフィックデータ９９を用いて行う。
【０１００】
図９は、被管理機器自体が内部で保有している現在実行中のプロセスに関する情報を格納したプロセステーブル９０の構成を示したものである。
【０１０１】
図９に示すプロセステーブル９０において、プロセスＩＤ９００は被管理機器で実行中のプロセスを一意に決めることのできる番号であり、ユーザ名９０１はプロセスを起動したユーザ名であり、ＣＰＵ時間９０２はそのプロセスが使用したＣＰＵ時間であり、プロセス状態９０３はそのプロセスの現在の処理状態であり、コマンド９０４は実行中のコマンドをそれぞれ表す。
【０１０２】
また、図９に示す９１０から９１３は、図８で示した起動ファイルで記述している起動情報により起動された各コマンドのプロセス状態を表している。
【０１０３】
図９に示すプロセステーブル９０において、９１０は図８のネットワーク情報サービス（ＮＩＳ）８００のプロセス状態例、９１１は図８のルーティング８０１のプロセス状態例、９１２は図８のネットワークファイルシステム（ＮＦＳ）８０２のプロセス状態例、９１３は図８のネットワーク管理（ＳＮＭＰ）８０３のプロセス状態例をそれぞれ表す。
【０１０４】
本実施形態のネットワーク管理システムは、図１に示した中央処理装置１０２が予め有しているデータ処理機能、システム制御機能を利用して、図４に示した被管理機器データベース４０内で遠隔操作４０３が可能となっている被管理機器から、後述する図１１に示すネットワーク通信部１０１４を介して、被管理機器が保有しているプロセステーブル９０を収集することができる。
【０１０５】
図１０は、ネットワーク上を流れている、図５に示したパケットのヘッダ部５０を本実施形態のネットワーク管理システムが収集し、トラフィック情報として格納しているトラフィックデータベース９９の構成を示したものである。
【０１０６】
図１０に示すトラフィックデータベース９９において、１０００はパケットの受信先の被管理機器ＩＤ、１００１は送信元の被管理機器ＩＤ、１００２はパケット長（バイト数）、１００３は通信プロトコル、１００４はパケット収集時刻をそれぞれ表す。
【０１０７】
図１１は、本実施形態のネットワーク管理システムのシステム構成を示したものであり、図１１に示す１０１０が図１に示した中央処理装置１０２上で稼働するネットワーク管理を行う処理部である。
【０１０８】
処理部１０１０は、ユーザインタフェース部１０１１と、ネットワーク管理機能処理部１０１２と、情報アクセス部１０１３と、ネットワーク通信部１０１４とからなる。
【０１０９】
図１１に示すユーザインタフェース部１０１１は、ネットワーク管理システムにおいて、図１に示した入力装置１０３からの情報や、出力装置１０４への情報を制御する。
【０１１０】
ネットワーク管理機能処理部１０１２は、ユーザインタフェース部１０１１、情報アクセス部１０１３、ネットワーク通信部１０１４と情報をやり取りし、ネットワーク機器間の静的または動的な依存関係や依存の方向性、依存の度合や頻度設定を視覚的に示す処理を行う。
【０１１１】
情報アクセス部１０１３は、図１に示す補助記憶装置１０４に格納されている物理的ネットワーク構成、論理的ネットワーク構成、ネットワーク配線、フロア図面、地図、ネットワークトラフィックの統計情報、ネットワークの回線使用率や、図４に示す被管理機器データベース４０、図６に示すサービス名データベース６０、図７に示す起動ファイル名データベース７０、図９に示すプロセステーブル９０、図１０に示すトラフィックデータベース９９に対してアクセスを行う。
【０１１２】
ネットワーク通信部１０１４は、図１に示す通信制御装置１０１を介して、ネットワーク１００との通信を行う。
【０１１３】
次に、被管理機器である電子計算機が、何のサービスを他の被管理機器に対して要求しているか、即ち、あるサービスのクライアントである被管理機器を指定し、そのサービスに関するサーバとの静的接続関係を検出し、検出した結果を図３に示したネットワーク構成図面上へ表示する処理を、図４の被管理機器データベース４０、図６のサービス名データベース６０、図７の起動ファイル名データベース７０を用いて、図１２のフローチャートに沿って説明する。
【０１１４】
本実施形態におけるネットワーク構成図面上へ表示する処理は、図１２に示すように、ネットワーク管理システムのユーザにより、静的接続関係を検出し表示するネットワークが、入力装置を用いて指定され（ステップ１１００）、ネットワーク管理システムは指定されたネットワークのネットワーク構成図を出力装置に表示する（ステップ１１０１）。
【０１１５】
ネットワーク管理システムのユーザにより、ネットワーク構成図上で、静的接続関係を検出し表示する被管理機器（クライアント）が、入力装置を用いて指定され（ステップ１１０２）、ネットワーク管理システムは指定された被管理機器に関する情報を図４の被管理機器データベース４０から検索し（ステップ１１０３）、検索するサービス名指定の有無をネットワーク管理システムのユーザに問い合わせる（ステップ１１０４）。
【０１１６】
ステップ１１０４でユーザがサービス名を指定するとした場合はステップ１１０５へ、指定しないとした場合は全サービスを検索するものとして、ステップ１１０６へ進む。
【０１１７】
ステップ１１０５では、ネットワーク管理システムのユーザにより、検索するサービス名が指定される。
【０１１８】
ステップ１１０６では、ステップ１１０３で検索した被管理機器に関する情報の中の分類情報を用いて、図６のサービス名データベース６０から、被管理機器がクライアントとしてネットワーク環境で使用するサービス名及びコンフィグレーションファイル名を検索する。尚、サービス名データベース６０で区分が定義されていないものに関しては、クライアントとして扱う。
【０１１９】
その後、ステップ１１０３で検索した被管理機器に関する情報の中から被管理機器ＩＤを用いて、図７の起動ファイル名データベース７０から、被管理機器が起動時に使用する起動ファイルを検索する（ステップ１１０７）。
【０１２０】
ステップ１１０５でユーザにより指定されたサービス名か、又は、ステップ１１０６で検索した被管理機器がネットワーク環境で使用するサービス名かのいずれかと、ステップ１１０７で検索した被管理機器が起動時に使用する起動ファイル名、さらに、被管理機器のコンフィグレーションファイル名を用いて、被管理機器の起動ファイル及びコンフィグレーションファイルから、クライアントとして設定しているサービスの種類と、サーバとなる機器の被管理機器ＩＤやマシン名、さらに、サービスの種類に応じてアクセス頻度などを検索する（ステップ１１０８）。
【０１２１】
ステップ１１０８で検索したサーバとなる機器の被管理機器ＩＤやマシン名を用いて、図４の被管理機器データベース４０からサーバとなる機器の情報と、対応するネットワーク構成図面上の図形を検索する（ステップ１１０９）。
【０１２２】
ステップ１１０９で検索したサーバの被管理機器データベースに格納されている接続情報と、ステップ１１０２で指定されたクライアントである被管理機器の接続情報を用いて、両被管理機器間の物理的な接続ルート（機器とケーブル間の接続）を構成している被管理機器及びその被管理機器に関する情報を図４の被管理機器データベース４０から検索する（ステップ１１１０）。
【０１２３】
ステップ１１０８で検索したサービスの種類やアクセス頻度、ステップ１１０９で検索したサーバの図形、ステップ１１１０で検索した物理的な接続ルートを構成している被管理機器に関する情報を用いて、ステップ１１０１で表示したネットワーク構成図上に、ステップ１１０２で指定された被管理機器の静的接続関係を認識可能な形式で表示する（ステップ１１１１）。
【０１２４】
この表示の際に、ネットワーク管理システムは、予め保持している図１３に示す表示用データベース１１２０を参照し、表示するサービスの表示色、ラインフォント、表示オーダーなどを決定する。
【０１２５】
図１３に示す表示用データベース１１２０において、１１２１が図６のサービス名データベース６０に格納されているサービス名６０１と同様のサービス名、１１２２がそのサービスの表示色、１１２３がそのサービスのラインフォント、１１２４がサービスのアクセス頻度、１１２５がサービスのアクセス頻度１１２４に対応する表示オーダを表す。表示オーダ１１２５は、サーバとなっている被管理機器の表示を行う際にも使用する。
【０１２６】
ステップ１１０５で、サービス名が指定されなかった場合のステップ１１１１の表示形式の例を図１４に示す。
【０１２７】
図１４に示す１１３０は通信網、１１３１はネットワーク機器、１１３２は電子計算機、１１３３は端末、１１３４がステップ１１０２で指定されたクライアントである被管理機器である。
【０１２８】
ここでは、ステップ１１０６のサービス名の検索で、サービスＡ、サービスＢ、サービスＣが検出された場合の表示例を示す。
【０１２９】
図１４において、１１３５がステップ１１０９で検索したサービスＡのサーバである被管理機器、１１３６がステップ１１１０で検索したサービスＡの両被管理機器間の物理的接続ルートを構成する被管理機器である。
【０１３０】
また、１１３７がステップ１１０９で検索したサービスＢのサーバである被管理機器、１１３８がステップ１１１０で検索したサービスＢの両被管理機器間の物理的接続ルートである。
【０１３１】
さらに、１１３９がステップ１１０９で検索したサービスＣのサーバである被管理機器、１１４０がステップ１１１０で検索したサービスＣの両被管理機器間の物理的接続ルートである。
【０１３２】
そして、次に、ステップ１１０５でサービス名を指定した場合のステップ１１１１の表示形式の例を図１５に示す。図１５において、１２００は通信網、１２０１はネットワーク機器、１２０２は電子計算機、１２０３は端末である。１２０４がステップ１１０２で指定されたあるサービスのクライアントである被管理機器、１２０５がステップ１１０９で検索したサービスのサーバである被管理機器、１２０６がステップ１１１０で検索した両被管理機器間の物理的接続ルートを構成する被管理機器である。
【０１３３】
さらに、ネットワーク管理システムは、図１５のように表示されたクライントである被管理機器１２０４、サーバである被管理機器１２０５のいずれかを、ユーザから入力装置を用いて指定されると、その被管理機器に関する静的接続関係の詳細情報を表示する。
【０１３４】
指定された被管理機器がクライアントである場合は、図４の被管理機器ＩＤ４００、分類４０２、マシン名４０４、さらに、図６のサービス名６０１、クライアント側のprtcl,daemon６０２と、図１２のフローチャートのステップ１１０８で検索したサーバとなる機器の被管理機器ＩＤやマシン名やアクセス頻度を詳細情報として表示する。
【０１３５】
指定された被管理機器がサーバである場合は、図４の被管理機器ＩＤ４００、分類４０２、マシン名４０４、さらに、図６のサービス名６０１、サーバ側のprtcl,daemon６０２と、図１２のフローチャートのステップ１１０８で検索したアクセス頻度を詳細情報として表示する。
【０１３６】
尚、静的接続関係の表示は、図１４や図１５に示す形式だけではなく、図１３に示した表示用データベース１１２０の表示色１１２２、ラインフォント１１２３、頻度１１２４、表示オーダ１１２５などをユーザが任意に変更することで表示形式を変更することができる。
【０１３７】
図１３を例にすると、サービスＡのアクセス頻度に応じた表示オーダを変更し、より太いラインで表示することができる。
【０１３８】
次に、被管理機器である電子計算機が、何のサービスを他の被管理機器に対して供給しているか、即ち、あるサービスのサーバである被管理機器を指定し、そのサービスに関するクライアントとの静的接続関係を検出し、検出した結果を図３に示したネットワーク構成図面上へ表示する処理を、図４の被管理機器データベース４０、図６のサービス名データベース６０、図７の起動ファイル名データベース７０、図１６の静的クライアントリストを用いて、図１７のフローチャートに沿って説明する。
【０１３９】
図１６は、ネットワーク環境で使用されるサービスに関して、あるサーバに提供するサービスとそのサービスのクライアントを列挙したリストの構成を示したものである。本実施形態ではこのリストを静的クライアントリストと呼ぶ。
【０１４０】
図１６に示す静的クライアントリスト１３０は、図１７に示す本実施形態のフローチャートに記述した処理手続きの中で、ネットワーク管理システムがファイルとして生成する。
【０１４１】
図１６に示す１３００から１３０１までは、サーバ側の情報であり、１３０２から１３０５まではクライアント側の情報である。
【０１４２】
図１６において、１３００はサーバが提供しているサービス名、１３０１はサービス名１３００に対応するサーバ側で起動しているプロトコル又はデーモン、１３０２はサービス名１３００に対応するクライアント側で起動しているプロトコル又はデーモン、１３０３はクライアント側で設定されているサービス用のコンフィグレーションファイル名、１３０４はクライアントとなっている被管理機器のＩＤ、１３０５はクライアント１３０４側で、コンフィグレーションファイル１３０３の中で記述しているサービスに対するアクセス頻度などの設定内容をそれぞれ示す。
【０１４３】
その静的接続関係をネットワーク構成図面上へ表示する処理は、図１７に示すように、まず、ネットワーク管理システムのユーザにより、静的接続関係を検出し表示するネットワークが、入力装置を用いて指定される（ステップ１４００）。
【０１４４】
ネットワーク管理システムは指定されたネットワークのネットワーク構成図を出力装置に表示する（ステップ１４０１）。
【０１４５】
ネットワーク管理システムのユーザにより、ネットワーク構成図上で、静的接続関係を検出し表示する被管理機器（サーバ）が入力装置を用いて指定される(ステップ１４０２）。
【０１４６】
ネットワーク管理システムは、指定された被管理機器に関する情報を図４の被管理機器データベース４０から検索する（ステップ１４０３）。
【０１４７】
検索するサービス名指定の有無をネットワーク管理システムのユーザに問い合わせる（ステップ１４０４）。
【０１４８】
ステップ１４０４でユーザがサービス名を指定するとした場合はステップ１４０５へ、指定しないとした場合は全サービスを検索するものとして、ステップ１４０６へ進む。
【０１４９】
ステップ１４０５では、ネットワーク管理システムのユーザにより、検索するサービス名が指定される。
【０１５０】
ステップ１４０６では、ステップ１４０３で検索した被管理機器に関する情報の中の分類情報を用いて、図６のサービス名データベース６０から、被管理機器がサーバとしてネットワーク環境で使用するサービス名を全て検索する。
【０１５１】
ステップ１４０３で検索した被管理機器に関する情報の中から被管理機器ＩＤを用いて、図７の起動ファイル名データベース７０から、被管理機器が起動時に使用する起動ファイルを検索する（ステップ１４０７）。
【０１５２】
ステップ１４０５でユーザにより指定されたサービス名か、又は、ステップ１４０６で検索した被管理機器がネットワーク環境で使用するサービス名かのいずれかと、ステップ１４０７で検索した被管理機器が起動時に使用する起動ファイル名を用いて、被管理機器の起動ファイル及びサービスのコンフィグレーションファイルから、サーバとして設定しているサービスの種類、さらに、サービスの種類に応じてサービス頻度などを検索し、図１６の静的クライアントリスト１３０のサーバ情報部分に検索結果を書き込む(ステップ１４０８）。
【０１５３】
ここで、ステップ１４０５でユーザが単一のサービス名を指定した場合は、図１６の静的クライアントリスト１３０のサービス名１３００と prtcl,daemon １３０１は、一項目だけになる。
【０１５４】
その後、ステップ１４０８で検索した被管理機器でサーバとして設定されているサービスのサービス名を用いて、図６のサービス名データベース６０から、対応するクライアント側のサービス名とコンフィグレーションファイル名を検索する（ステップ１４０９)。
【０１５５】
ステップ１４０２で指定された被管理機器（サーバ）以外の全ての被管理機器を対象にして、図４に示した被管理機器データベース４０を参照しながら、図７に示した起動ファイル名データベース７０から起動ファイル名を検索する(ステップ１４１０）。
【０１５６】
ステップ１４０９で検索したクライアント側のサービス名とコンフィグレーションファイル名と、ステップ１４１０で検索した起動ファイル名を用いて、各起動ファイル及びコンフィグレーションファイル内で、ステップ１４０２で指定された被管理機器をサーバとして設定しているサービスを検索し、その結果を図１６に示した静的クライアントリストのクライアント情報部分に書き込む(ステップ１４１１）。
【０１５７】
そして、被管理機器データベース４０に格納されている各被管理機器の接続情報を用いて、ステップ１４０２で指定されたサーバと、ステップ１４１１で静的クライアントリストに書き込んだ、あるサービスのクライアント間の物理的な接続ルート（機器とケーブル間の接続）を構成している被管理機器及びその被管理機器に関する情報を図４の被管理機器データベース４０から検索する(ステップ１４１２）。
【０１５８】
ステップ１４１１で作成した静的クライアントリストと、ステップ１４１２で検索した物理的な接続ルートを構成している被管理機器に関する情報を用いて、ステップ１４０１で表示したネットワーク構成図上に、ステップ１４０２で指定されたサーバである被管理機器の静的接続関係を認識可能な形式で表示する（ステップ１４１３）。
【０１５９】
ステップ１４０４でサービス名を指定した場合のステップ１４１１の表示形式の例を図１８に示す。
【０１６０】
図１８に示す１５００は通信網、１５０１はネットワーク機器、１５０２は電子計算機、１５０３は端末、１５０４はステップ１４０２で指定されたサービスのサーバである被管理機器、１５０５はステップ１４１１で検索したサービスのクライアントである被管理機器、１５０６はステップ１４１２で検索した両被管理機器間の物理的接続ルートを構成する被管理機器である。
【０１６１】
さらに、ネットワーク管理システムは、図１８のように表示されたサーバである被管理機器１５０４、クライントである被管理機器１５０５のいずれかを、ユーザから入力装置を用いて指定されると、その被管理機器に関する静的接続関係の詳細情報を表示する。
【０１６２】
指定された被管理機器がサーバである場合は、図１７のフローチャートのステップ１４１１で作成した静的クライアントリスト（図１６の１３０）を詳細情報として表示する。
【０１６３】
指定された被管理機器がクライアントである場合は、図１７のフローチャートのステップ１４１１で作成した静的クライアントリスト（図１６の１３０）の中から、指定されたクライアント機器の被管理機器ＩＤに合致するものを抽出した結果を詳細情報として表示する。
【０１６４】
尚、静的接続関係の表示は、図１８に示す形式だけではなく、図１３に示した表示用データベース１１２０の表示色１１２２、ラインフォント１１２３、頻度１１２４、表示オーダ１１２５などをユーザが任意に変更することで表示形式を変更することができる。
【０１６５】
アクセスするクライアント数が多い場合は、サーバである被管理機器１５０４の表示形式を大きくしたり、物理的接続ルートを構成する被管理機器１５０６の表示形式を太くすることが可能である。また、複数のサービスに関する静的接続関係の表示を行った場合は、表示色をサービスの種類に対応して変更することも可能である。
【０１６６】
次に、ネットワーク管理者が管理する、あるネットワーク全体の静的接続関係を検出し、検出した結果を図３に示したネットワーク構成図面上へ表示する処理を、図４の被管理機器データベース４０、図６のサービス名データベース６０、図７の起動ファイル名データベース７０、図１６の静的クライアントリスト１３０を用いて、図１９のフローチャートに沿って説明する。
【０１６７】
その静的接続関係をネットワーク構成図上への表示する処理は、図１９に示すように、まず、ネットワーク管理システムのユーザにより、静的接続関係を検出し表示するネットワークが、入力装置を用いて指定される（ステップ１６００）。
【０１６８】
ネットワーク管理システムは、指定されたネットワークのネットワーク構成図を出力装置に表示する（ステップ１６０１）。
【０１６９】
その後、検索するサービス名指定の有無をネットワーク管理システムのユーザに問い合わせる（ステップ１６０２）。
【０１７０】
ステップ１６０２でユーザがサービス名を指定するとした場合はステップ１６０３へ、指定しないとした場合は全サービスを検索するものとして、ステップ１６０４へ進む。
【０１７１】
ステップ１６０３では、ネットワーク管理システムのユーザにより、検索するサービス名が指定される。
【０１７２】
ステップ１６０４では、図４の被管理機器データベース４０に格納されている全被管理機器分の空の静的クライアントリストを作成する。
【０１７３】
その後、図４の被管理機器データベース４０を先頭から検索し、最後の被管理機器になるまで、ステップ１６０６へ進む(ステップ１６０５）。
【０１７４】
ステップ１６０５で検索した被管理機器をクライアントとして捉え、図１２のクライアントを指定してサーバを検出する静的接続関係表示処理のフローチャートの中の、ステップ１１０７からステップ１１０９までと同様の処理を行い、その被管理機器がクライアントとなっているサービスとそのサービスのサーバを検索し、サーバとなっている被管理機器の静的クライアントリストのクライアント情報部分に検索した結果を書き込む。
【０１７５】
さらに、ステップ１６０５で検索した被管理機器をサーバとして捉え、図１７のサーバを指定してクライアントを検出する静的接続関係表示処理のフローチャートの中の、ステップ１４０７からステップ１４１１までと同様の処理を行い、その被管理機器がサーバになっているサービスとそのサービスのクライアントを検索し、その被管理機器の静的クライアントリストのサーバ情報部分に、検索した結果を書き込む（ステップ１６０６）。
【０１７６】
ステップ１６０６が終了すると、ネットワーク管理システムは検索対象を被管理機器データベース４０の次の項目に移動させ、被管理機器データベースの最後まで、ステップ１６０５とステップ１６０６を繰り返す。
【０１７７】
ステップ１６０５で、被管理機器データベース４０の最後まで来ると、ステップ１６０７へ進む。
【０１７８】
そして、図４の被管理機器データベース４０の先頭の被管理機器から最後の被管理機器まで、ステップ１６０６で検索結果を追加した各被管理機器の静的クライアントリストに対し、ステップ１６０８の処理を行う（ステップ１４０７）。
【０１７９】
ステップ１６０６で検索結果を追加した各被管理機器の静的クライアントリストを検索し空でないものに対して、リストの一項目ずつに関して図１７のサーバを指定してクライアントを検出する処理のフローチャートの中の、ステップ１４１２と同様に、サーバとなっている被管理機器とクライアントとなっている被管理機器間の物理的接続ルートを検索する（ステップ１４０８）。
【０１８０】
ステップ１６０８が終了すると、ネットワーク管理システムは検索対象を被管理機器データベース４０の次の項目に移動させ、被管理機器データベースの最後まで、ステップ１６０７とステップ１６０８を繰り返す。ステップ１６０７で、被管理機器データベース４０の最後まで、即ち、最後の静的クライアントリストの処理が終了すると、ステップ１６０９へ進む。
【０１８１】
ステップ１６０６で検索した各被管理機器の静的クライアントリストと、ステップ１６０８で検索したサーバとクライアント間の物理的接続ルートを用いて、ステップ１６０１で表示したネットワーク構成図上に、ネットワーク全体の静的接続関係を認識可能な形式で表示する（ステップ１６０９）。
【０１８２】
ステップ１６０２でサービス名を指定した場合の、ステップ１６０９の表示形式の例を図２０に示す。
【０１８３】
図２０に示す１７００は通信網、１７０１はネットワーク機器、１７０２は電子計算機、１７０３は端末、１７０４がステップ１６０２で指定されたサービスのクライアントである被管理機器、１７０５がそのサービスのサーバである被管理機器、１７０６がステップ１６０８で検索した両被管理機器間の物理的接続ルートを構成する被管理機器である。
【０１８４】
さらに、ネットワーク管理システムは、図２０のように表示されたクライアントである被管理機器１７０４、サーバである被管理機器１７０５のいずれかをユーザから入力装置を用いて指定されると、ネットワーク全体に対するその被管理機器の静的接続関係に関する詳細情報を表示する。
【０１８５】
指定された被管理機器がクライアントである場合は、図１９に示すフローチャートのステップ１６０６で作成した全ての被管理機器に関する静的クライアントリスト（図１６の１３０）の中から、指定されたクライアント機器の被管理機器ＩＤに合致するものを抽出した結果を詳細情報として表示する。
【０１８６】
指定された被管理機器がサーバである場合は、図１９に示したフローチャートのステップ１６０６で作成した全ての被管理機器に関する静的クライアントリスト（図１６の１３０）の中から、被管理機器ＩＤを用いて該当するリストを検出し、詳細情報として表示する。
【０１８７】
尚、ネットワーク全体の静的接続関係の表示は、図２０に示す形式だけではなく、図１３に示した表示用データベース１１２０の表示色１１２２、ラインフォント１１２３、頻度１１２４、表示オーダ１１２５などをユーザが任意に変更することで表示形式を変更することができる。
【０１８８】
アクセスするクライアント数が多い場合は、サーバである被管理機器１７０５の表示形式を大きくしたり、物理的接続ルートを構成する被管理機器１７０６の表示形式を太くすることが可能である。また、複数のサービスに関する静的接続関係の表示を行った場合は、表示色をサービスの種類に対応して変更することも可能である。
【０１８９】
したがって、説明してきたように、ネットワークを円滑に運用管理するために、ネットワーク上のネットワーク機器の論理的かつ静的な接続関係に関する情報を、ネットワーク構成図上に表示するので、ネットワーク機器間の静的な依存関係や依存の方向性、さらに、依存の度合や頻度設定を視覚的に把握することができる。
【０１９０】
また、前述の手段によれば、ネットワーク上のネットワーク機器の論理的かつ静的な接続関係に関する情報を統合し、各ネットワーク機器のネットワークに対する重要度を、ネットワーク構成図上に表示するので、管理対象であるネットワークのクリティカルポイントの把握や、トラフィックの傾向予測を行うことができる。
【０１９１】
次に、被管理機器である電子計算機が、ある時点で何のサービスを他の被管理機器に対して要求しているか、即ち、あるサービスのクライアントである被管理機器を指定し、そのサービスに関するサーバとの動的接続状況を検出し、検出した結果を図３に示したネットワーク構成図面上へ表示する処理を、図４の被管理機器データベース４０、図６のサービス名データベース６０、図９のプロセステーブル９０、図１０のトラフィックデータベース９９を用いて、図２１のフローチャートに沿って説明する。
【０１９２】
その動的接続状況をネットワーク構成図面上へ表示する処理は、図２１に示すように、まず、ネットワーク管理システムのユーザにより、動的接続状況を検出し表示するネットワークが、入力装置を用いて指定される（ステップ１８００）。
【０１９３】
ネットワーク管理システムは、指定されたネットワークのネットワーク構成図を出力装置に表示する（ステップ１８０１）。
【０１９４】
ネットワーク管理システムのユーザにより、ネットワーク構成図上で、動的接続状況を検出し表示する被管理機器（クライアント）が、入力装置を用いて指定される（ステップ１８０２）。
【０１９５】
その後、ネットワーク管理システムは、指定された被管理機器に関する情報を図４の被管理機器データベース４０から検索する（ステップ１８０３）。
【０１９６】
検索するサービス名指定の有無をネットワーク管理システムのユーザに問い合わせる（ステップ１８０４）。
【０１９７】
ステップ１８０４において、ユーザがサービス名を指定するとした場合は、ステップ１８０５へ、指定しないとした場合は全サービスを検索するものとして、ステップ１８０６へ進む。
【０１９８】
ステップ１８０５では、ネットワーク管理システムのユーザにより、検索するサービス名が指定される。
【０１９９】
ステップ１８０６では、ステップ１８０３で検索した被管理機器に関する情報の中の分類情報を用いて、図６のサービス名データベース６０から、被管理機器がクライアントとしてネットワーク環境で使用するサービス名及びコンフィグレーションファイル名を検索する。尚、サービス名データベース６０で区分が定義されていないものに関しては、クライアントとして扱う。
【０２００】
ステップ１８０３で検索した被管理機器に関する情報の中から被管理機器ＩＤを用いて、そのクライアントとなる被管理機器が内部で保有している、図９に示したプロセステーブル９０から、ステップ１８０５で指定されたサービス名のプロセス、又は、ステップ１８０６で検索したサービス名のプロセスを検索する（ステップ１８０７）。
【０２０１】
ステップ１８０７で被管理機器で実行中のサービスをプロセステーブルから検索した結果を用いて、サービス名データベース６０からコンフィグレーションファイルを検索し、そのサービスのサーバとなる機器の被管理機器ＩＤやマシン名、さらに、サービスの種類に応じてアクセス頻度などを検索する（ステップ１８０８）。
【０２０２】
ステップ１８０８で検索したサーバとなる機器の被管理機器ＩＤやマシン名を用いて、図４の被管理機器データベース４０からサーバとなる機器の情報と、対応するネットワーク構成図面上の図形を検索する（ステップ１８０９）。
【０２０３】
ステップ１８０９で検索したサーバの被管理機器データベースに格納されている接続情報と、ステップ１８０２で指定されたクライアントである被管理機器の接続情報を用いて、両被管理機器間の物理的な接続ルート（機器とケーブル間の接続）を構成している被管理機器及びその被管理機器に関する情報を図４の被管理機器データベース４０から検索する（ステップ１８１０）。
【０２０４】
ステップ１８１０で検索した物理的な接続ルート上のネットワークを流れているパケットのヘッダ部を、予め定められた一定時間収集し、トラフィックデータを格納した図１０のトラフィックデータベース９９から検索する（ステップ１８１１）。
【０２０５】
ステップ１８０８で検索したサービスの種類やアクセス頻度、ステップ１８０９で検索したサーバの図形、ステップ１８１０で検索した物理的な接続ルートを構成している被管理機器に関する情報、ステップ１８１１で検索したトラフィックデータを用いて、ステップ１８０１で表示したネットワーク構成図上に、ステップ１８０２で指定された被管理機器の動的接続状況を認識可能な形式で表示する（ステップ１８１２）。
【０２０６】
ステップ１８０６でサービス名を指定した場合のステップ１８１２の表示形式の例を図２２に示す。
【０２０７】
図２２に示す１９００は通信網、１９０１はネットワーク機器、１９０２は電子計算機、１９０３は端末、１９０４がステップ１８０２で指定されたあるサービスのクライアントである被管理機器、１９０５がステップ１８０９で検索したサービスのサーバである被管理機器、１９０６がステップ１８１０で検索した両被管理機器間の物理的接続ルートを構成する被管理機器である。
【０２０８】
尚、動的接続状況の表示は、図２２に示す形式だけではなく、図１３に示した表示用データベース１１２０の表示色１１２２、ラインフォント１１２３、頻度１１２４、表示オーダ１１２５などをユーザが任意に変更することで表示形式を変更することができる。
【０２０９】
アクセスするクライアント数が多い場合は、サーバである被管理機器１９０５の表示形式を大きくしたり、物理的接続ルートを構成する被管理機器１９０６の表示形式を太くすることが可能である。
【０２１０】
また、複数のサービスに関する動的接続状況の表示を行った場合は、表示色をサービスの種類に対応して変更することも可能である。
【０２１１】
また、図９のプロセステーブル９０の情報を用いて、ユーザ名によるフィルタリングを行い、あるユーザが実行中のプロセスを抽出することにより、ネットワーク上で誰がどのようにネットワークのサービスをクライアントとして利用しているかを表示することも可能である。
【０２１２】
さらに、ネットワーク管理システムは、図２２のように表示されたクライアントである被管理機器１９０４、サーバである被管理機器１９０５、物理的接続ルートを構成する被管理機器１９０６のいずれかを、ユーザから入力装置を用いて指定されると、その被管理機器の動的接続状況に関する詳細情報を表示する。
【０２１３】
指定された被管理機器がクライアントである場合は、図４の被管理機器ＩＤ４００、分類４０２、マシン名４０４、さらに、図６のサービス名６０１、クライアント側のprtcl,daemon６０２と、図２１に示したフローチャートのステップ１８０７検索したプロセステーブルの検索結果、図２１に示したフローチャートのステップ１８０８で検索したサーバとなる機器の被管理機器ＩＤやマシン名、さらに、サービスの種類に応じたアクセス頻度を詳細情報として表示する。
【０２１４】
指定された被管理機器がサーバである場合は、図４の被管理機器ＩＤ４００、分類４０２、マシン名４０４、さらに、図６のサービス名６０１、サーバ側のprtcl,daemon６０２と、図２１に示したフローチャートのステップ１８０９で検索したサーバ機器情報を詳細情報として表示する。
【０２１５】
指定された被管理機器が物理的接続ルートである場合は、図４の被管理機器ＩＤ４００、分類４０２、マシン名４０４、さらに、図６のサービス名６０１と、図２１に示したフローチャートのステップ１８１１で図１０のトラフィックデータベース９９から検索したトラフィックデータを詳細情報として表示する。
【０２１６】
次に、被管理機器である電子計算機が、ある時点で何のサービスを他の被管理機器に対して供給しているか、即ち、あるサービスのサーバである被管理機器を指定し、そのサービスに関するクライアントとの動的接続状況を検出し、検出した結果を図３に示したネットワーク構成図面上へ表示する処理を、図４の被管理機器データベース４０、図６のサービス名データベース６０、図９のプロセステーブル９０、図１０のトラフィックデータベース１００、図２３の動的クライアントリストを用いて、図２４のフローチャートに沿って説明する。
【０２１７】
図２３は、ある時点でネットワーク環境で使用されているサービスに関して、あるサーバに対するサービスとクライアントを列挙したリストの構成を示したものである。本実施形態ではこのリストを動的クライアントリストと呼ぶ。
【０２１８】
図２３に示す動的クライアントリスト２００は、図２４に示す本実施形態のフローチャートに記述した処理手続きの中で、ネットワーク管理システムが生成する一時ファイルであり、処理が終了した時点で消去する。
【０２１９】
図２３に示す２０００から２００２までは、サーバ側の情報であり、２００３から２００７まではクライアント側の情報である。
【０２２０】
図２３において、２０００はサーバが提供しているサービス名、２００１はサービス名２０００に対応するサーバ側で起動しているプロトコル又はデーモン、２００２はそのサービスのプロセスＩＤ、２００３はサービス名２０００に対応するクライアント側で起動しているプロトコル又はデーモン、２００４はクライアント側のサービスのプロセスＩＤ、２００５はクライアント側で設定されているサービス用のコンフィグレーションファイル名、２００６はクライアントとなっている被管理機器のＩＤ、２００７はクライアント２００５側で、コンフィグレーションファイル２００３の中で記述しているサービスに対するアクセス頻度などの設定内容をそれぞれ示す。
【０２２１】
その動的接続状況をネットワーク構成図面上へ表示する処理は、図２４に示すように、まず、ネットワーク管理システムのユーザにより、動的接続状況を検出し表示するネットワークが、入力装置を用いて指定される（２１００）。
【０２２２】
ネットワーク管理システムは、指定されたネットワークのネットワーク構成図を出力装置に表示する（ステップ２１０１）。
【０２２３】
ネットワーク管理システムのユーザにより、ネットワーク構成図上で、動的接続状況を検出し表示する被管理機器（サーバ）が入力装置を用いて指定される（ステップ２１０２）。
【０２２４】
その後、ネットワーク管理システムは指定された被管理機器に関する情報を図４の被管理機器データベース４０から検索する（ステップ２１０３）。
【０２２５】
検索するサービス名指定の有無をネットワーク管理システムのユーザに問い合わせる（ステップ２１０４）。
【０２２６】
ステップ２１０４でユーザがサービス名を指定するとした場合はステップ２１０５へ、指定しないとした場合は全サービスを検索するものとして、ステップ２１０６へ進む。
【０２２７】
ステップ２１０５では、ネットワーク管理システムのユーザにより、検索するサービス名が指定される。
【０２２８】
ステップ２１０６では、ステップ２１０３で検索した被管理機器に関する情報の中の分類情報を用いて、図６のサービス名データベース６０から、被管理機器がサーバとしてネットワーク環境で使用するサービス名を検索する。
【０２２９】
ステップ２１０３で検索した被管理機器に関する情報の中から被管理機器ＩＤを用いて、被管理機器の図９に示したプロセステーブル９０から、ステップ２１０５でユーザに指定されたサービス名か、又は、ステップ２１０６で検索した、被管理機器がサーバとしてネットワーク環境で使用しているサービス名のいずれかを検索し、図２３に示した動的クライアントリスト２００のサーバ情報部分に検索結果を書き込む（ステップ２１０７）。
【０２３０】
ここで、ステップ２１０５でユーザが単一のサービス名を指定した場合は、図２３の動的クライアントリスト２００のサービス名２０００と prtcl,daemon ２００１は、一項目だけになる。
【０２３１】
ステップ２１０７で検索した、その時点でサーバである被管理機器上で実行しているサービス名を用いて、図６のサービス名データベース６０及びサービスのコンフィグレーションファイルから、サーバとして設定しているサービスの種類、さらに、サービスの種類に応じてサービス頻度、対応するクライアント側のサービス名とコンフィグレーションファイル名などを検索する（ステップ２１０８）。
【０２３２】
ステップ２１０２で指定された被管理機器（サーバ）以外の全ての被管理機器を対象にして、図４に示した被管理機器データベースを参照しながら、ステップ２１０８で検索したクライアント側のサービス名とコンフィグレーションファイル名などを用いて、被管理機器（サーバ）以外の全ての被管理機器のプロセステーブルから、その時点で実行中のサービスのプロセスを検索し、図２３の動的クライアントリスト２００のクライアント情報部分に検索結果を書き込む（ステップ２１０９）。
【０２３３】
そして、被管理機器データベースに格納されている各被管理機器の接続情報を用いて、ステップ２１０２で指定されたサーバと、ステップ２１０９で動的クライアントリストに埋め込んだ、あるサービスのクライアント間の物理的な接続ルート（機器とケーブル間の接続）を構成している被管理機器及びその被管理機器に関する情報を図４の被管理機器データベース４０から検索する（ステップ２１１０）。
【０２３４】
ステップ２１１０で検索した物理的な接続ルート上のネットワークを流れているパケットのヘッダ部を、予め定められた一定時間収集したトラフィックデータを格納した図１０のトラフィックデータベース９９から検索する（ステップ２１１１）。
【０２３５】
ステップ２１０９で作成した動的クライアントリストと、ステップ２１１０で検索した物理的な接続ルートを構成している被管理機器に関する情報と、ステップ２１１１でトラフィックデータベースから検索したトラフィックデータを用いて、ステップ２１０１で表示したネットワーク構成図上に、ステップ２１０２で指定されたサーバである被管理機器の動的接続状況を認識可能な形式で表示する（ステップ２１１２）。
【０２３６】
ステップ２１０４でサービス名を指定した場合の、ステップ２１１１の表示形式の例を図２５に示す。
【０２３７】
図２５に示す２２００は通信網、２２０１はネットワーク機器、２２０２は電子計算機、２２０３は端末、２２０４がステップ２１０２で指定されたサービスのサーバである被管理機器、２２０５がステップ２１０８で検索したサービスのクライアントである被管理機器、２２０６がステップ２１１０で検索した両被管理機器間の物理的接続ルートを構成する被管理機器である。
【０２３８】
尚、動的接続状況の表示は、図２５に示す形式だけではなく、図１３に示した表示用データベース１１２０の表示色１１２２、ラインフォント１１２３、頻度１１２４、表示オーダ１１２５などをユーザが任意に変更することで表示形式を変更することができる。
【０２３９】
アクセスするクライアント数が多い場合は、サーバである被管理機器２２０４の表示形式を大きくしたり、物理的接続ルートを構成する被管理機器２２０６の表示形式を太くすることが可能である。
【０２４０】
また、複数のサービスに関する動的接続状況の表示を行った場合は、表示色をサービスの種類に対応して変更することも可能である。
【０２４１】
また、図９のプロセステーブル９０の情報を用いて、ユーザ名によるフィルタリングを行い、あるユーザが実行中のプロセスを抽出することにより、ステップ２１０２で指定されたサーバである被管理機器が、ネットワーク上の誰に対してネットワークのサービスを供給しているかを表示することも可能である。
【０２４２】
さらに、ネットワーク管理システムは、図２５のように表示されたサーバである被管理機器２２０４、クライアントである被管理機器２２０５、物理的接続ルートを構成する被管理機器２２０６のいずれかを、ユーザから入力装置を用いて指定されると、その被管理機器の動的接続状況に関する詳細情報を表示する。
【０２４３】
指定された被管理機器がサーバである場合は、図２４のフローチャートのステップ２１０９で作成した動的クライアントリスト（図２３の２００）を詳細情報として表示する。
【０２４４】
指定された被管理機器がクライアントである場合は、図２４のフローチャートのステップ２１０９で作成した動的クライアントリスト（図２３の２００）の中から、指定されたクライアント機器の被管理機器ＩＤに合致するものを抽出した結果を詳細情報として表示する。
【０２４５】
指定された被管理機器が物理的接続ルートである場合は、図２４のフローチャートのステップ２１１１でトラフィックデータベース９９から検索したトラフィックデータを詳細情報として表示する。
【０２４６】
ここから、ネットワーク管理者が管理するあるネットワーク全体の動的接続状況を検出し、検出した結果を図３に示したネットワーク構成図面上へ表示する処理を、図４の被管理機器データベース４０、図６のサービス名データベース６０、図９のプロセステーブル９０、図１０のトラフィックデータベース１００、図２３の動的クライアントリストを用いて、図２６のフローチャートに沿って説明する。
【０２４７】
その動的接続状況をネットワーク構成図面上へ表示する処理は、図２６に示すように、まず、ネットワーク管理システムのユーザにより、動的接続状況を検出し表示するネットワークが、入力装置を用いて指定される（ステップ２３００）。
【０２４８】
ネットワーク管理システムは指定されたネットワークのネットワーク構成図を出力装置に表示する（ステップ２３０１）。
【０２４９】
検索するサービス名指定の有無をネットワーク管理システムのユーザに問い合わせる（ステップ２３０２）。
【０２５０】
ステップ２３０２でユーザがサービス名を指定するとした場合はステップ２３０３へ、指定しないとした場合は全サービスを検索するものとして、ステップ２３０４へ進む。
【０２５１】
ネットワーク管理システムのユーザにより、検索するサービス名が指定される（ステップ２３０３）。
【０２５２】
図４の被管理機器データベース４０に格納されている全被管理機器分の空の動的クライアントリストを作成する（ステップ２３０４）。
【０２５３】
図４の被管理機器データベース４０を先頭から検索し、最後の被管理機器になるまで、ステップ２３０６へ進む（ステップ２３０５）。
【０２５４】
ステップ２３０５で検索した被管理機器をクライアントとして捉え、図２１のクライアントを指定してサーバを検出する動的接続状況表示処理のフローチャートの中の、ステップ１８０７からステップ１８０９までと同様の処理を行い、その被管理機器がクライアントとなっているサービスとそのサービスのサーバを検索し、サーバとなっている被管理機器の動的クライアントリストのクライアント情報部分に検索した結果を書き込む。
【０２５５】
さらに、ステップ２３０５で検索した被管理機器をサーバとして捉え、図２４のサーバを指定してクライアントを検出する動的接続状況表示処理のフローチャートの中の、ステップ２１０７からステップ２１０９までと同様の処理を行い、その被管理機器がサーバになっているサービスとそのサービスのクライアントを検索し、その被管理機器の動的クライアントリストのサーバ情報部分に、検索結果を書き込む（ステップ２３０６）。
【０２５６】
ステップ２３０６が終了すると、ネットワーク管理システムは検索対象を被管理機器データベース４０の次の項目に移動させ、被管理機器データベースの最後まで、ステップ２３０５とステップ２３０６を繰り返す。
【０２５７】
ステップ２３０５で、被管理機器データベース４０の最後まで来ると、ステップ２３０７へ進む。
【０２５８】
そして、図４の被管理機器データベース４０の先頭の被管理機器から最後の被管理機器まで、ステップ２３０６で検索結果を書き込んだ各被管理機器の動的クライアントリストに対し、ステップ２３０８の処理を行う（ステップ２３０７）。
【０２５９】
ステップ２３０６で検索結果を書き込んだ各被管理機器の動的クライアントリストを検索し、空でないものに対してリストの一項目ずつに関して、図２４のサーバを指定してクライアントを検出する処理のフローチャートのステップ２１１０と同様に、サーバとなっている被管理機器とクライアントとなっている被管理機器間の物理的接続ルートを検索する（ステップ２３０８）。
【０２６０】
ステップ２３０８が終了すると、ネットワーク管理システムは検索対象を被管理機器データベース４０の次の項目に移動させ、被管理機器データベースの最後まで、ステップ２３０７とステップ２３０８を繰り返す。
【０２６１】
ステップ２３０７で、被管理機器データベース４０の最後まで、即ち、最後の動的クライアントリストの処理が終了すると、ステップ２３０９へ進む。
【０２６２】
ステップ２３０８で検索した物理的接続ルート上のネットワークを流れているパケットのヘッダ部を、予め定められた一定時間収集したトラフィックデータを格納した図１０のトラフィックデータベース９９から検索する（ステップ２３０９）。
【０２６３】
ステップ２３０６で作成した動的クライアントリストと、ステップ２３０８で検索した物理的な接続ルートを構成している被管理機器に関する情報と、ステップ２３０９でトラフィックデータベース９９から検索したトラフィックデータを用いて、ステップ２３０１で表示したネットワーク構成図上に、ネットワーク全体の動的接続状況を認識可能な形式で表示する（ステップ２３１０）。
【０２６４】
ステップ２３０２でサービス名を指定した場合の、ステップ２３０９の表示形式の例を図２７に示す。図２７に示す２４００は通信網、２４０１はネットワーク機器、２４０２は電子計算機、２４０３は端末である。２４０４がステップ２３０２で指定されたサービスのクライアントである被管理機器、２４０５がステップ２３０６で検索したサービスのサーバである被管理機器、２４０６がステップ２３０８で検索した両被管理機器間の物理的接続ルートを構成する被管理機器である。
【０２６５】
尚、動的接続状況の表示は、図２７に示す形式だけではなく、図１３に示した表示用データベース１１２０の表示色１１２２、ラインフォント１１２３、頻度１１２４、表示オーダ１１２５などをユーザが任意に変更することで表示形式を変更することができる。
【０２６６】
アクセスするクライアント数が多い場合は、サーバである被管理機器２４０５の表示形式を大きくしたり、物理的接続ルートを構成する被管理機器２４０６の表示形式を太くすることが可能である。また、複数のサービスに関する動的接続状況の表示を行った場合は、表示色をサービスの種類に対応して変更することも可能である。
【０２６７】
また、図９のプロセステーブル９０の情報を用いて、ユーザ名によるフィルタリングを行い、あるユーザが実行中のプロセスを抽出することにより、誰がネットワーク全体からどんなサービスをクライアントとして利用しているかを表示することも可能である。
【０２６８】
さらに、ネットワーク管理システムは、図２７のように表示されたサーバである被管理機器２４０５、クライアントである被管理機器２４０４、物理的接続ルートを構成する被管理機器２４０６のいずれかを、ユーザから入力装置を用いて指定されると、その被管理機器の動的接続状況に関する詳細情報を表示する。
【０２６９】
指定された被管理機器がサーバである場合は、図２６のフローチャートのステップ２３０６で作成した動的クライアントリスト（図２３の２００）を詳細情報として表示する。
【０２７０】
指定された被管理機器がクライアントである場合は、図２６のフローチャートのステップ２３０６で作成した動的クライアントリスト（図２３の２００）の中から、指定されたクライアント機器の被管理機器ＩＤに合致するものを抽出した結果を詳細情報として表示する。
【０２７１】
指定された被管理機器が物理的接続ルートである場合は、図２６のフローチャートのステップ２３０９でトラフィックデータベース９９から検索したトラフィックデータを詳細情報として表示する。
【０２７２】
図２８はケーブル配線によるネットワーク接続をおこわなず、ワイヤレス通信可能なネットワーク機器の情報を格納する第４のデータベース２８０の構成を示したものである。ここでワイヤレス通信とは、赤外線、マイクロ波、電磁波等の電波や光を媒体とした無線による通信を意味する。これに対し、これまで述べてきたような、機器にケーブルを接続し、配線したケーブルを媒体として通信を行うネットワークは、有線による通信である。
【０２７３】
図２８に示す２８００の被管理機器IDは図４の被管理機器データベース４０と同様にワイヤレス通信可能な被管理機器を一意に決めることのできる番号である。この被管理機器ID２８００は、ネットワーク管理システムが表示するネットワーク構成図面の被管理機器図形データに割り当てられている。２８０１のワイヤレス通信種別は、ワイヤレス通信可能な被管理機器のワイヤレス通信方式を識別するものである。
【０２７４】
２８０２の通信可能機器IDは、２８０１の通信方式により、相互の通信可能な被管理機器IDである。２８０３の遠隔操作は、遠隔操作の可能な被管理機器であるか判別する項目である。２８０４のマシン名は、被管理機器のネットワーク上の名前である。
【０２７５】
次に図４の被管理機器データベース４０と、図７の起動ファイル名データベース７０と、図２８のワイヤレス通信機器データベース２８０を用いて、ケーブル配線によるネットワーク機器の論理的かつ静的な接続関係を表示させる処理について図２９のフローチャートを用いて説明する。
【０２７６】
図２９に示すように、ステップ２９００において、ネットワーク管理システムのユーザにより、静的接続関係を検出し、表示するネットワークと、ワイヤレス通信種別が入力装置を用いて指定される。
【０２７７】
ステップ２９０１において、ネットワーク管理システムは指定されたネットワークのネットワーク構成図を出力装置に表示する。
【０２７８】
ステップ２９０２において、ネットワーク管理システムのユーザにより、ネット構成図上で、静的接続関係を検出し、表示するワイヤレス通信可能な被管理機器（クライアント）が、入力装置を用いて指定される。
【０２７９】
ステップ２９０３において、ネットワーク管理システムは指定された被管理機器に関する情報を図４の被管理機器データベース４０から検索する。
【０２８０】
さらに図２８のワイヤレス通信機器データベース２８０を用いて指定された被管理機器のワイヤレス通信種別、通信可能機器IDなどを検索する。
【０２８１】
ステップ２９０４において、ステップ２９０３で検索した被管理機器に関する情報の中から被管理機器IDを用いて、図７の起動ファイル名データベース７０から、被管理機器が起動時に使用する起動ファイルを検索する。
【０２８２】
ステップ２９０５において、ステップ２９０２でユーザにより指定された被管理機器がネットワーク環境で使用するサービス名とそのサービスを提供しているサーバを、ステップ２９０４で検索した被管理機器が起動時に使用する起動ファイル名、さらに被管理機器のコンフィグレーションファイル名を用いて、被管理機器の起動ファイル及びコンフィグレーションファイルから、クライアントとして設定しているサービスの種類と、サーバとなる機器の被管理機器IDやマシン名、さらにサービスの種類に応じてアクセス頻度などを検索する。
【０２８３】
ステップ２９０６において、ステップ２９０５で検索したサーバとなる機器の被管理機器IDやマシン名を用いて、図４の被管理機器データベース４０からサーバとなる機器の情報と、対応するネットワーク構成図面上の図形を検索する。
【０２８４】
ステップ２９０７において、ステップ２９０２で検索した被管理機器とワイヤレス通信可能機器IDと、サーバの被管理機器データベースに格納されている接続情報と、ステップ２９０２で指定されたクライアントである被管理機器の接続情報を用いて、両被管理機器間のワイヤレス通信ルートを構成している被管理機器及びその被管理機器に関する情報を図４の被管理機器データベース４０から検索する。
【０２８５】
ステップ２９０８において、ステップ２９０５で検索したサービスの種類やアクセス頻度、ステップ２９０６で検索したサーバの図形、ステップ２９０７で検索したワイヤレス通信ルートを構成している被管理機器に関する情報を用いて、ステップ２９０１で表示したネットワーク構成図上にステップ２９０２で指定された被管理機器の静的接続関係を認識可能な形式で表示する。
【０２８６】
ステップ２９０８のワイヤレス接続機器の静的接続関係の表示例を図３０に示す。図３０の３０００は通信網、３００１はネットワーク機器、３００２は電子計算機、３００３は端末である。３００４がステップ２９０２で指定された被管理機器、３００５が３００４とワイヤレス通信可能な被管理機器、３００６がステップ２９０７で検索した両被管理機器間のワイヤレス通信ルートである。
【０２８７】
さらに、ネットワーク管理システムは、図３０のように表示されたクライアントである被管理機器３００４を、ユーザから入力装置を用いて指定されると、ネットワーク全体に対する、その被管理機器の静的接続関係に関する詳細情報を表示する。
【０２８８】
詳細情報の表示例を図３６に示す。ユーザから入力装置を用いて指定されたある被管理機器が、ネットワーク内の他の被管理機器とどのような静的接続関係を有しているかが、この詳細情報により把握できる。
【０２８９】
図３６において、３６００から３６０２まではサーバ情報、３６０３から３６０６まではクライアント情報である。
【０２９０】
３６００はあるサービスのサーバの被管理機器IDである。ユーザが指定した被管理機器が他の機器に対して何らかのサービスを提供しているサーバの場合は、この項目が「ー」で表示される。３６０１はサーバが提供しているサービスのサービス名であり、３６０２はサービス名３６０１で用いるプロトコル又はデーモンを示す。
【０２９１】
３６０３はあるサービスのクライアントの被管理機器ID、３６０４はクライアント側でサービスを受けるために使用するプロトコル又は、デーモン、３６０５はクライアント側でサービスを受けるための設定を行っているコンフィグ用ファイルのファイル名、３６０６はコンフィグ用のファイル内でのそのサービスに関するアクセス頻度などの設定内容である。ユーザが指定した被管理機器がクライアントの場合、クライアント情報の被管理機器IDは、３６００と同様に「ー」で表示される。
【０２９２】
尚、ネットワーク全体の静的接続関係の表示は、図３０に示す形式だけではなく、表示色、ラインフォント、表示幅などをユーザが任意に変更することができる。アクセスするクライアント数が多い場合は、サーバである被管理機器３００５を大きくしたり、ワイヤレス通信ルート３００６を太くすることが可能である。また、複数のサービスに関する静的接続関係の表示を行った場合は、表示色をサービスの種類に対応して変更することも可能である。
【０２９３】
次に、図４の被管理機器データベース４０、図６のサービス名データベース６０、図９のプロセステーブル９０、図１０のトラフィックデータベース１００、図２８のワイヤレス通信機器データベース２８０を用いて、ケーブル配線によるネットワーク接続を行わず、ワイヤレスで他のネットワーク機器と通信可能なネットワーク機器の論理的かつ動的な接続状況を検出し、検出した結果を図３に示したネットワーク構成図面上に表示する処理について、図３１のフローチャートを用いて説明する。
【０２９４】
図３１に示すように、ステップ３１００において、ネットワーク管理システムのユーザにより、動的接続関係を検出し、表示するネットワークと、ワイヤレス通信種別が入力装置を用いて指定される。
【０２９５】
ステップ３１０１において、ネットワーク管理システムは指定されたネットワークのネットワーク構成図を出力装置に表示する。
【０２９６】
ステップ３１０２において、ネットワーク管理システムのユーザにより、ネット構成図上で、動的接続関係を検出し、表示するワイヤレス通信可能な被管理機器（クライアント）が、入力装置を用いて指定される。
【０２９７】
ステップ３１０３において、ネットワーク管理システムは指定された被管理機器に関する情報を図４の被管理機器データベース４０から検索する。
【０２９８】
さらに図２８のワイヤレス通信機器データベース２８０を用いて指定された被管理機器のワイヤレス通信種別、通信可能機器IDなどを検索する。
【０２９９】
ステップ３１０４において、ステップ３１０３で検索した被管理機器に関する情報の中から被管理機器IDを用いて、図６のサービス名データベース６０から、被管理機器がクライアントとしてネットワーク環境で使用するサービス名及びコンフィグレーションファイル名を検索する。尚、サービス名データベース６０で区分が定義されていないものに関してはクライアントとして扱う。
【０３００】
ステップ３１０５において、ステップ３１０３で検索した被管理機器が被管理機器に関する情報の中から被管理機器IDを用いて、そのクライアントとなる被管理機器が内部で保有している図９に示したプロセステーブル９０から、ステップ３１０５で指定されたサービス名のプロセス、又はステップ３１０６で検索したサービス名のプロセスを検索する。
【０３０１】
ステップ３１０６において、ステップ３１０５で被管理機器で実行中のサービスをプロセステーブルから検索した結果を用いて、サービス名データベース６０からコンフィグレーションファイルを検索し、そのサービスのサーバとなる機器の被管理機器IDやマシン名、さらにサービスの種類に応じてアクセス頻度などを検索する。
【０３０２】
ステップ３１０７において、ステップ３１０６で検索したサーバとなる機器の被管理機器IDやマシン名を用いて、図４の被管理機器データベース４０からサーバとなる機器の情報と、対応するネットワーク構成図面上の図形を検索する。
【０３０３】
ステップ３１０８において、ステップ３１０７で検索したサーバの被管理機器データベースに格納されている接続情報と、ステップ３１０２で指定されたクライアントである被管理機器の接続情報と、図２８のワイヤレス通信機器データベース２８０から、両被管理機器間のワイヤレス通信ルートに関する情報を検索する。
【０３０４】
ステップ３１０９において、ステップ３１０８で検索した物理的な接続ルート上のネットワークを流れているパケットのヘッダ部を、予め定められた一定時間収集し、トラフィックデータとして図１０のトラフィックデータベース１００に格納する。
【０３０５】
ステップ３１１０において、ステップ３１０９で検索したサービスの種類やアクセス頻度、ステップ３１０７で検索したサーバの図形、ステップ３１０８で検索した物理的接続ルートを構成している被管理機器に関する情報、ステップ３１０９で収集したトラフィックデータを用いて、ステップ３１０１で表示したネットワーク構成図上にステップ３１０２で指定された被管理機器の静的接続関係を認識可能な形式で表示する。
【０３０６】
図３１のワイヤレス通信機器の動的接続状況の表示フローチャートにおける、ステップ３１１０での表示形式の例を図３２に示す。図３２の３２００は通信網、３２０１はネットワーク機器、３２０２は電子計算機、３２０３は端末である。３２０４はステップ３１０２で指定されたあるサービスのクライアントである被管理機器、３２０５はステップ３１０７で検索したサービスのサーバである被管理機器、３２０６はステップ３１０８で検索した両被管理機器間のワイヤレス通信ルートである。
【０３０７】
尚、ネットワーク全体の動的接続関係の表示は、図３２に示す形式だけではなく、表示色、ラインフォント、表示幅などをユーザが任意に変更することができる。アクセスするクライアント数が多い場合は、サーバである被管理機器３２０５を大きくしたり、ワイヤレス通信ルート３２０６を太くすることが可能である。また、複数のサービスに関する動的接続関係の表示を行った場合は、表示色をサービスの種類に対応して変更することも可能である。
【０３０８】
また、図９のプロセステーブル９０の情報を用いて、ユーザ名によるフィルタリングを行い、あるユーザが実行中のプロセスを抽出することにより、ネットワーク上で誰がどのようにネットワークのサービスをクライアントとして、利用しているかを表示することもできる。
【０３０９】
さらにネットワーク管理システムは図３２のように表示されたクライアントである被管理機器３２０４、サーバである被管理機器３２０５のいずれかを、ユーザから入力装置を用いて指定されると、その被管理機器の動的接続状況に関する詳細情報を表示する。
【０３１０】
指定された被管理機器がクライアントである場合は、図４の被管理機器ID４００、分類４０２、マシン名４０４、さらに図６のサービス名６０１、クライアント側のprtcl,daemon６０２と、図３１のフローチャートのステップ３１０５で検索したプロセステーブルの検索結果、図３１のフローチャートのステップ３１０６で検索したサーバとなる機器の被管理機器IDやマシン名、さらにサービスの種類に応じたアクセス頻度を詳細情報として表示する。
【０３１１】
指定された被管理機器がサーバである場合は、図４の被管理機器ID４００、分類４０２、マシン名４０４、さらに図６のサービス名６０１、サーバ側のprtcl,daemon６０２と、図３１のフローチャートのステップ３１０７で検索したサーバ機器情報を詳細情報として表示する。
【０３１２】
指定された被管理機器が物理的接続ルートである場合は、図４の被管理機器ID４００、分類４０２、マシン名４０４、さらに図６のサービス名６０１、サーバ側のprtcl,daemon６０２と、図３１のフローチャートのステップ３１０７で検索したサーバ機器情報を詳細情報として表示する。
【０３１３】
図３３はグローバルなネットワークの論理的かつ動的な接続状況に関する情報と、グローバルなネットワークからアクセスされるネットワーク機器の情報を格納する第５のデータベースに当たるグローバルネットワーク被管理機器データベース３３０の構成を示したものである。
【０３１４】
ここで、グローバルなネットワークの論理的かつ、動的な接続状況とは、ネットワーク管理システムの管理対象であるネットワーク内の被管理機器がサーバとして、グローバルなネットワークに接続している他のネットワーク内のマシンからの通信サービスに対するクライアントとしての要求に応答している状況を言う。
【０３１５】
図３３の被管理機器ID３３００は、図４の被管理機器データベース４０と同様に、ネットワーク管理システムの管理対象である被管理機器を一意に決めることのできる番号である。この被管理機器ID３３００は、ネットワーク管理システムが表示するネットワーク構成図面の被管理機器図形データに割り当てられている。
【０３１６】
３３０１の接続媒体は、被管理機器IDを有する被管理機器とグローバルネットワーク間の物理的な接続を行う接続媒体種別を識別するものである。
【０３１７】
３３０２の接続方式は、３３０１の接続媒体を用いて、被管理機器とグローバルネットワーク間で通信を行う場合に、どのような手順で通信を開始するかを示す接続方式である。
【０３１８】
３３０３は、３３０１の接続媒体を用いて、３３０２の接続方式により、３３００の被管理機器がグローバルなネットワークを介して、どのような通信サービスを提供するかを示すサービス名である。
【０３１９】
３３０４のクライアントIDは、被管理機器ID３３００を有する被管理機器が提供している通信サービス３３０３を受け取るために、グローバルなネットワークを介して、接続を行っているクライアントを示す番号である。
【０３２０】
このクライアントID３３０４は、グローバルなネットワーク内で通信を行う機器を一意に決めることのできる番号である。グローバルなネットワークの一つであるインターネットでは、この機器を一意に決めることのできる番号として、IPアドレスと呼ばれる４バイトの整数を用いている。３３０５の接続開始時刻は、３３００の被管理機器が３３０４のクライアントとの、３３０３の接続内容の通信をいつ開始したかを示す年月日時刻である。
【０３２１】
図３３のグローバルネットワーク被管理機器データベース３３０において、被管理機器ID３３００、接続媒体３３０１、接続方式３３０２、サービス名３３０３は予め、ネットワーク管理者によって設定されており、クライアントID３３０４と接続開始時刻３３０５は、グローバルなネットワークの論理的かつ動的な接続状況を調査する時点で、以下の図３４のフローチャートに示す処理の中で情報を検出し、埋め込まれる。
【０３２２】
ここから図４の被管理機器データベース４０、図６のサービス名データベース６０、図９のプロセステーブル９０、図１０のトラフィックデータベース１００、図３３のグローバルなネットワークの論理的かつ、動的な接続状況に関する情報を格納するグローバルネットワーク被管理機器データベース３３０を用いて、被管理機器のグローバルなネットワークに対する論理的かつ動的な接続状況を検出し、前記ネットワーク構成図と共に、前記表示装置に表示する処理について、図３４のフローチャートを用いて説明する。
【０３２３】
図３４のステップ３４００において、ネットワーク管理システムのユーザにより、動的接続状況を検出し表示するネットワークとグローバルなネットワークの接続方式が、入力装置を用いて指定される。
【０３２４】
ステップ３４０１において、ネットワーク管理システムは指定されたネットワークのネットワーク構成図を出力装置に表示する。
【０３２５】
ステップ３４０２において、ネットワーク管理システムのユーザにより、ネットワーク構成図上で、動的接続状況を検出し表示するグローバルなネットワークを介した通信サービスを提供している被管理機器（サーバ）が、入力装置を用いて指定される。
【０３２６】
ステップ３４０３において、ネットワーク管理システムはステップ３４０２で指定された被管理機器に関する情報を図４の被管理機器データベース４０から検索する。
【０３２７】
ステップ３４０４において、ステップ３４０３で検索した被管理機器に関する情報の中の分類情報を用いて、図６のサービス名データベース６０から、被管理機器がサーバとしてネットワーク環境で使用するサービス名及びコンフィグレーションファイル名を検索する。
【０３２８】
ステップ３４０５において、ステップ３４０３で検索した被管理機器に関する情報の中から被管理機器IDを用いて、ステップ３４０４で検索したサービス名のプロセスを図９に示したプロセステーブル９０から検索する。
【０３２９】
ステップ３４０６において、ステップ３４０５で検索した被管理機器で実行中のサービスをプロセステーブルから検索した結果を用いて、サービス名データベース６０からコンフィグレーションファイルを検索し、被管理機器で提供しているサービスのサービス情報と、対応するネットワーク構成図面上の図形を検索する。
【０３３０】
ステップ３４０７において、ステップ３４０２で指定された被管理機器がどのような接続媒体と接続方式でグローバルなネットワークと接続可能かを図３３のグローバルネットワーク被管理機器データベース３３０から検索する。
【０３３１】
ステップ３４０８において、ステップ３４０７で検索した接続媒体及び接続方式によって接続しているグローバルなネットワーク上を流れているパケットのヘッダ部を、予め定められた一定時間収集し、トラフィックデータとして、図１０のトラフィックデータベース１００に格納する。
【０３３２】
ステップ３４０９において、ステップ３４０８で収集し、トラフィックデータベース１００に格納したトラフィックデータを図３３のグローバルネットワーク被管理機器データベース３３０のサービス名３３０３別に抽出し、クライアントID3304と接続開始時刻３３０５を埋め込む。グローバルネットワーク被管理機器データベース３３０にクライアントID３３０４と、接続開始時刻を埋め込んだものをここではグローバル接続テーブルと呼ぶ。
【０３３３】
ステップ３４１０において、ステップ３４０４で検索したサービス名と、ステップ３４０６で検索したサーバの図形と、ステップ３４０９で生成したグローバル接続テーブルとを用いて、ステップ３４０１で表示したネットワーク構成図上にステップ３４０２で指定された被管理機器のグローバルなネットワークとの動的接続状況を認識可能な形式で表示する。
【０３３４】
図３４のグローバルなネットワークとの動的接続状況を表示する処理のフローチャートにおける、ステップ３４１０での表示形式の例を図３５に示す。
【０３３５】
図３５の３５００は通信網、３５０１はネットワーク機器、３５０２は電子計算機、３５０３は端末である。３５０４はステップ３４０２で指定されたグローバルなネットワークに対してサービスを提供しているサーバである被管理機器、３５０５がステップ３４０７で生成したグローバル接続テーブルに埋め込んだ、クライアントIDを有する機器の仮想機器図形、３５０６がステップ３４０７で検索した両被管理機器間の接続媒体である。
【０３３６】
グローバルなネットワークとの動的接続状況を表示するには、ネットワーク管理システムの管理対象外の、外部ネットワークに接続しているクライアント機器の存在をネットワーク構成図面上で表現する必要がある。図３５の３５０５では、３５０２の電子計算機や３５０３の端末と類似の図形によって、クライアントIDを有する機器を表現しているが、ネットワーク管理システムの管理対象となっている他の被管理機器と明確に区別するために、特定の仮想、機器用の図形を設定し、それを用いて表示をおこなうこともできる。
【０３３７】
尚、ネットワーク全体の動的接続関係の表示は、図３５に示す形式だけではなく、表示色、ラインフォント、表示幅などをユーザが任意に変更することができる。アクセスするクライアント数が多い場合は、サーバである被管理機器３５０４を大きくしたり、ワイヤレス通信ルート３５０６を太くすることが可能である。また、複数のサービスに関する静的接続関係の表示を行った場合は、表示色をサービスの種類に対応して変更することも可能である。
【０３３８】
更に、ネットワーク管理システムは図３５のように表示されたサーバである被管理機器３５０４を、ユーザからの入力装置を用いて指定されると、その被管理機器の動的接続状況に関する詳細情報を表示する。
【０３３９】
その場合、図４の被管理機器データベース４０の被管理機器ID４００、分類４０２、マシン名４０４と、図３４のフローチャートのステップ３４０６で検索したサーバ機器情報、サービス情報と、図３４のフローチャートのステップ３４０９で生成したグローバル接続テーブル（図３３の第５のデータベース）３３０の接続媒体３３０１、接続方式３３０２、サーバ機器情報、サービス名３３０３、クライアントID３３０４、接続開始時刻３３０５を詳細情報として表示する。
【０３４０】
したがって、説明してきたように、ネットワーク上のネットワーク機器の論理的かつ動的な接続状況に関する情報を、ネットワーク構成図上に表示するので、ネットワーク機器間のある時点での動的な依存関係や依存の方向性、さらに、依存の度合や頻度を視覚的に把握することができる。
【０３４１】
さらに、前述の手段によれば、ネットワーク上のネットワーク機器の論理的かつ動的な接続状況に関する情報を統合し、各ネットワーク機器のネットワークに対するその時点での重要度や、ネットワーク機器間相互の依存状況を、ネットワーク構成図上に表示するので、管理対象であるネットワーク全体の稼働状況や負荷の集中傾向を把握でき、さらに、ネットワークの負荷分散やトラフィックの均一化を図る対策を講じるための指標を示すことができる。
【０３４２】
以上、本発明者によってなされた発明を、前記実施例に基づき具体的に説明したが、本発明は、前記実施例に限定されるものではなく、その要旨を逸脱しない範囲において種々変更可能であることは勿論である。
【０３４３】
【発明の効果】
本願において開示される発明のうち代表的なものによって得られる効果を簡単に説明すれば、下記のとおりである。
【０３４４】
（１）ネットワーク上のネットワーク機器の論理的かつ静的な接続関係に関する情報を、ネットワーク構成図上に表示するので、ネットワーク機器間の静的な依存関係や依存の方向性、さらに、依存の度合や頻度設定を視覚的に把握することができる。
【０３４５】
（２）また、ネットワーク上のネットワーク機器の論理的かつ静的な接続関係に関する情報を統合し、各ネットワーク機器のネットワークに対する重要度を、ネットワーク構成図上に表示するので、管理対象であるネットワークのクリティカルポイントの把握や、トラフィックの傾向予測を行うことができる。
【０３４６】
（３）さらに、ネットワーク上のネットワーク機器の論理的かつ動的な接続状況に関する情報を、ネットワーク構成図上に表示するので、ネットワーク機器間のある時点での動的な依存関係や依存の方向性、さらに、依存の度合や頻度を視覚的に把握することができる。
【０３４７】
（４）さらに、ネットワーク上のネットワーク機器の論理的かつ動的な接続状況に関する情報を統合し、各ネットワーク機器のネットワークに対するその時点での重要度や、ネットワーク機器間相互の依存状況を、ネットワーク構成図上に表示することで、管理対象であるネットワーク全体の稼働状況や負荷の集中傾向を把握でき、さらに、ネットワークの負荷分散やトラフィックの均一化を図る対策を講じるための指標を示すことができる。
【０３４８】
（５）さらに、赤外線や電波を用いたワイヤレス通信を行う機器間の静的な依存関係、ある時点での動的な依存状況をネットワーク構成図面上に表示するので、依存の方向性や度合いを視覚的に把握でき、ワイヤレス通信方式のネットワークもケーブル配線によるネットワークと同様に管理することができる。
【０３４９】
（６）さらにある時点で管理対象であるネットワーク内の被管理機器がサーバとして、管理対象外の他のグローバルなネットワークに接続しているマシンからの通信サービスに対する要求に応答している華道かをネットワーク構成図面上に表示するので、管理対象外のネットワークと管理対象であるネットワーク内の被管理機器間での、ある時点での動的な依存状況を把握することができる。
【図面の簡単な説明】
【図１】本発明の一実施例にかかるネットワーク管理システムのハードウエア構成を示すブロック図である。
【図２】本実施形態の論理的ネットワークの構成を説明するための図である。
【図３】本実施形態の表示装置上へのネットワーク構成図面の表示例を示す図である。
【図４】本実施形態の被管理機器ＩＤ、接続情報、分類、遠隔操作、マシン名の対応を表す被管理機器の情報を格納したデータベースの構成を示す図である。
【図５】本実施形態のパケットのヘッダ部の構造を説明するための図である。
【図６】本実施形態のネットワーク環境で使用するサービス名が登録されているデータベースの構成を示す図である。
【図７】本実施形態の被管理機器の起動時に実行される起動ファイル名を格納した起動ファイル名データベースの構成を示す図である。
【図８】本実施形態の被管理機器の起動ファイルの記述内容の例を示す図である。
【図９】本実施形態の被管理機器で実行中のプロセスの状態に関する情報を格納したプロセステーブルの構成を示す図である。
【図１０】本実施形態のネットワーク上を流れているパケットのヘッダ部の情報をトラフィックデータとして収集したトラフィックデータベースの構成を示す図である。
【図１１】本発明の一実施例にかかるネットワーク管理システムのシステム構成を示すブロック図である。
【図１２】本実施形態のクライアントである被管理機器を指定し、サーバとの静的接続関係を検出し、その結果を表示する処理手順を示すフローチャートである。
【図１３】本実施形態のネットワーク構成図の表示用データベースの構成を示す図である。
【図１４】本実施形態のクライアントである被管理機器を指定し、サービス名を指定しなかった場合のサーバとの静的接続関係を検出した結果の表示例を示した図である。
【図１５】本実施形態のクライアントである被管理機器を指定し、サーバとの静的接続関係を検出した結果の表示例を示した図である。
【図１６】本実施形態の静的クライアントリストの構成を示す図である。
【図１７】本実施形態のサーバである被管理機器を指定し、クライアントとの静的接続関係を検出し、その結果を表示する処理手順を示すフローチャートである。
【図１８】本実施形態のサーバである被管理機器を指定し、クライアントとの静的接続関係を検出した結果の表示例を示した図である。
【図１９】本実施形態のネットワーク全体のサーバとクライアント間の静的接続関係を検出し、その結果を表示する処理手順を示すフローチャートである。
【図２０】本実施形態のネットワーク全体のサーバとクライアント間の静的接続関係を検出した結果の表示例を示した図である。
【図２１】本実施形態のクライアントである被管理機器を指定し、サーバとの動的接続状況を検出し、その結果を表示する処理手順を示すフローチャートである。
【図２２】本実施形態のサーバである被管理機器を指定し、クライアントとの動的接続状況を検出した結果を表示例を示した図である。
【図２３】本実施形態の動的クライアントリストの構成を示す図である。
【図２４】本実施形態のサーバである被管理機器を指定し、クライアントとの動的接続状況を検出し、その結果を表示する処理手順を示すフローチャートである。
【図２５】本実施形態のサーバである被管理機器を指定し、クライアントとの動的接続状況を検出した結果の表示例を示した図である。
【図２６】本実施形態のネットワーク全体のサーバとクライアント間の動的接続状況を検出し、その結果を表示する処理手順を示すフローチャートである。
【図２７】本実施形態のネットワーク全体のサーバとクライアント間の動的接続状況を検出した結果の表示例を示した図である。
【図２８】本実施形態のワイヤレス通信機器データベースのデータ例を示す図である。
【図２９】本実施形態のワイヤレス接続機器の静的接続状況を示すフローチャートである。
【図３０】本実施形態のワイヤレス接続機器の静的接続状況を表示する図である。
【図３１】本実施形態のワイヤレス接続機器の動的接続状況を示すフローチャートである。
【図３２】本実施形態のワイヤレス接続機器の動的接続状況を表示する図である。
【図３３】本実施形態のグローバルネットワーク状況データベースのデータ例を示す図である。
【図３４】本実施形態のグローバルネットワークの動的接続状況を示すフローチャートである。
【図３５】本実施形態のグローバルネットワークの動的接続状況を表示する図である。
【図３６】本実施形態の被管理機器の静的接続関係に関する詳細情報の表示例を示した図である。
【符号の説明】
１００…ネットワーク、１０１…通信制御装置、１０２…中央処理装置、１０３…入力装置、１０４…出力装置、１０５…補助記憶装置、２００…通信網、２０１…電子計算機、２０２…ネットワーク機器、２０３…端末、３００…通信網、３０１…ネットワーク機器、３０２…電子計算機、３０３…端末、１０１１…ユーザインタフェース、１０１２…ネットワーク管理機能処理部、１０１３…情報アクセス部、１０１４…ネットワーク通信部。
【図１】
0003734051.tif 000002
【図２】
0003734051.tif 000003
【図３】
0003734051.tif 000004
【図４】
0003734051.tif 000005
【図５】
0003734051.tif 000006
【図６】
0003734051.tif 000007
【図７】
0003734051.tif 000008
【図８】
0003734051.tif 000009
【図９】
0003734051.tif 000010
【図１０】
0003734051.tif 000011
【図１１】
0003734051.tif 000012
【図１２】
0003734051.tif 000013
【図１３】
0003734051.tif 000014
【図１４】
0003734051.tif 000015
【図１５】
0003734051.tif 000016
【図１６】
0003734051.tif 000017
【図１７】
0003734051.tif 000018
【図１８】
0003734051.tif 000019
【図１９】
0003734051.tif 000020
【図２０】
0003734051.tif 000021
【図２１】
0003734051.tif 000022
【図２２】
0003734051.tif 000023
【図２３】
0003734051.tif 000024
【図２４】
0003734051.tif 000025
【図２５】
0003734051.tif 000026
【図２６】
0003734051.tif 000027
【図２７】
0003734051.tif 000028
【図２８】
0003734051.tif 000029
【図２９】
0003734051.tif 000030
【図３０】
0003734051.tif 000031
【図３１】
0003734051.tif 000032
【図３２】
0003734051.tif 000033
【図３３】
0003734051.tif 000034
【図３４】
0003734051.tif 000035
【図３５】
0003734051.tif 000036
【図３６】
0003734051.tif 000037